(57)【要約】【課題】干渉の変動を低減することができる基地局装置を提供する。【解決手段】基地局間同期方式のセルラーシステムにおいて、複数の時間スロットが複数のスロットグループにグループ化されており、複数のスロットグループの各々は複数の時間スロットを有する。各基地局装置は、スロットグループの各々での先頭の時間スロットで複数のユーザ装置への下りリンクのデータ送信に使用した複数のリソースを示す情報を記憶する。各基地局装置の下りリンクリソーススケジューラは、スロットグループの各々での後続の時間スロットについて、先頭の時間スロットで複数のユーザ装置への下りリンクのデータ送信に使用した複数のリソースの中から、複数のユーザ装置への下りリンクのデータ送信に使用するべき複数のリソースを選択する。【選択図】図２
2015008390.tif 000002
【特許請求の範囲】
【請求項１】
複数のユーザ装置に割り当てられる下りリンクのデータ送信のための複数のリソースを、複数の時間スロットの各々が有する、基地局間同期方式のセルラーシステムの基地局装置であって、
前記複数の時間スロットは複数のスロットグループにグループ化されており、前記複数のスロットグループの各々は複数の時間スロットを有しており、
当該基地局装置は、
前記スロットグループの各々での先頭の時間スロットで前記複数のユーザ装置への下りリンクのデータ送信に使用した複数のリソースを示す情報を記憶する記憶部と、
前記スロットグループの各々での後続の時間スロットについて、前記先頭の時間スロットで前記複数のユーザ装置への下りリンクのデータ送信に使用した複数のリソースの中から、前記複数のユーザ装置への下りリンクのデータ送信に使用するべき複数のリソースを選択する下りリンクリソーススケジューラと、
前記下りリンクリソーススケジューラで選択された複数のリソースを使用して、前記複数のユーザ装置への下りリンクのデータ送信を実行する送信部
とを備える基地局装置。
【請求項２】
前記スロットグループの各々は、少なくとも３つの時間スロットを有しており、これらの少なくとも３つの時間スロットは前記先頭の時間スロットと、途中の時間スロットと、最終の時間スロットとを有しており、
各スロットグループの前記先頭の時間スロットと前記途中の時間スロットとの間に、直前のスロットグループの少なくとも１つの時間スロットが配置され、各スロットグループの前記途中の時間スロットと前記最終の時間スロットとの間に、次のスロットグループの少なくとも１つの時間スロットが配置されている
ことを特徴とする請求項１に記載の基地局装置。
【請求項３】
前記送信部は、前記スロットグループの各々での前記先頭の時間スロットでは、後続の時間スロットでの参照信号よりも多数の参照信号を送信する
ことを特徴とする請求項１または請求項２に記載の基地局装置。
【請求項４】
当該基地局装置での過去の下りリンクのデータトラフィック量または過去に下りリンクのデータ送信に使用されたリソースの数に基づいて、前記スロットグループの各々での前記先頭の時間スロットで、当該基地局装置に接続される前記複数のユーザ装置への下りリンクのデータ送信に使用するリソースの所要総数を決定する所要総数決定部をさらに備える
ことを特徴とする請求項１から請求項３のいずれか１項に記載の基地局装置。
【請求項５】
当該基地局装置に接続される前記複数のユーザ装置へ送信されるべきデータを一時的に格納するバッファをさらに備え、
前記バッファに格納されているデータの量に基づいて、前記所要総数決定部は、前記スロットグループの各々での前記先頭の時間スロットで前記複数のユーザ装置への下りリンクのデータ送信に使用するリソースの前記所要総数を補正する
ことを特徴とする請求項４に記載の基地局装置。
【請求項６】
他の基地局装置の下りリンクのデータトラフィック量を示す情報に基づいて、前記所要総数決定部は、前記スロットグループの各々での前記先頭の時間スロットで前記複数のユーザ装置への下りリンクのデータ送信に使用するリソースの前記所要総数を補正する
ことを特徴とする請求項４または請求項５に記載の基地局装置。
【請求項７】
当該基地局装置に接続されている前記複数のユーザ装置の各々について、かつ当該基地局装置が下りリンクのデータ送信に使用可能な複数のリソースの各々について計算された複数の過去の下りリンクのプロポーショナル・フェアネス・メトリックまたは搬送波対干渉波比メトリックに基づいて、過去の下りリンクのプロポーショナル・フェアネス・メトリックまたは搬送波対干渉波比メトリックがより大きい前記所要総数のリソースを、前記下りリンクリソーススケジューラは、前記先頭の時間スロットでの前記複数のユーザ装置への下りリンクのデータ送信に使用するために選択する
ことを特徴とする請求項４から請求項６のいずれか１項に記載の基地局装置。
【請求項８】
当該基地局装置から前記複数のユーザ装置の各々に送信されるべき下りリンクのデータトラフィック量を推定する個別トラフィック量推定部と、
前記スロットグループの各々での前記先頭の時間スロットで前記複数のユーザ装置の各々への下りリンクのデータ送信に使用するリソースの所要個別数を決定するための所要個別数決定部であって、当該基地局装置からユーザ装置への過去の下りリンクのチャネル品質と、前記個別トラフィック量推定部で推定された当該ユーザ装置へのデータトラフィック量に基づいて、前記先頭の時間スロットでの前記所要個別数を決定する所要個別数決定部とをさらに備え、
当該ユーザ装置について、かつ当該基地局装置が下りリンクのデータ送信に使用可能な複数のリソースの各々について計算された複数の過去の下りリンクのプロポーショナル・フェアネス・メトリックまたは搬送波対干渉波比メトリックに基づいて、過去の下りリンクのプロポーショナル・フェアネス・メトリックまたは搬送波対干渉波比メトリックがより大きい前記所要個別数のリソースを、前記下りリンクリソーススケジューラは、前記先頭の時間スロットでの当該ユーザ装置への下りリンクのデータ送信に使用するために選択する
ことを特徴とする請求項４から請求項６および請求項７のいずれか１項に記載の基地局装置。
【請求項９】
当該基地局装置が下りリンクのデータ送信に使用可能な複数のリソースは、各リソースグループが複数のリソースを有するようにあらかじめ複数のリソースグループにグループ化されており、
当該基地局装置に接続されている前記複数のユーザ装置の各々について、かつ前記複数のリソースグループの各々について計算された複数の過去の下りリンクのプロポーショナル・フェアネス・メトリックまたは搬送波対干渉波比メトリックに基づいて、過去の下りリンクのプロポーショナル・フェアネス・メトリックまたは搬送波対干渉波比メトリックがより大きく、前記所要総数以下の数のリソースを持つことになるリソースグループを、前記下りリンクリソーススケジューラは、前記先頭の時間スロットでの前記複数のユーザ装置への下りリンクのデータ送信に使用するために選択する
ことを特徴とする請求項４から請求項６のいずれか１項に記載の基地局装置。
【請求項１０】
当該基地局装置から前記複数のユーザ装置の各々に送信されるべき下りリンクのデータトラフィック量を推定する個別トラフィック量推定部と、
前記スロットグループの各々での前記先頭の時間スロットで前記複数のユーザ装置の各々への下りリンクのデータ送信に使用するリソースの所要個別数を決定するための所要個別数決定部であって、当該基地局装置からユーザ装置への過去の下りリンクのチャネル品質と、前記個別トラフィック量推定部で推定された当該ユーザ装置へのデータトラフィック量に基づいて、前記先頭の時間スロットで前記所要個別数を決定する所要個別数決定部とをさらに備え、
当該ユーザ装置について、かつ前記複数のリソースグループの各々について計算された複数の過去の下りリンクのプロポーショナル・フェアネス・メトリックまたは搬送波対干渉波比メトリックに基づいて、過去の下りリンクのプロポーショナル・フェアネス・メトリックまたは搬送波対干渉波比メトリックがより大きく、前記所要個別数以下の数のリソースを持つことになるリソースグループを、前記下りリンクリソーススケジューラは、前記先頭の時間スロットでの当該ユーザ装置への下りリンクのデータ送信に使用するために選択する
ことを特徴とする請求項４から請求項６および請求項９のいずれか１項に記載の基地局装置。
【請求項１１】
当該基地局装置に接続されている前記複数のユーザ装置の各々から、当該基地局装置からそのユーザ装置への下りリンクのチャネル品質に基づく下りリンクチャネル品質情報を受信する受信部と、
過去の前記下りリンクチャネル品質情報に基づいて、前記複数のユーザ装置の各々への下りリンクのデータ送信に使用するための変調・符号化方式を決定する変調・符号化方式決定部とを備え、
前記変調・符号化方式決定部は、前記スロットグループの各々での前記先頭の時間スロットでは、過去の下りリンクのチャネル品質に適する変調・符号化方式よりも送信効率が低い変調・符号化方式を決定する
ことを特徴とする請求項１から請求項１０のいずれか１項に記載の基地局装置。
【請求項１２】
前記受信部は、当該基地局装置に接続されている前記複数のユーザ装置から、そのユーザ装置に与えられる干渉量を示す情報を受信し、
前記変調・符号化方式決定部は、直前のスロットグループでの前記ユーザ装置での干渉量の変化に基づいて、直前のスロットグループでの前記ユーザ装置での干渉量が減少する傾向にある場合には、送信効率を低減する程度を小さくし、他の場合には、送信効率を低減する程度を大きくするように、現在のスロットグループの前記先頭の時間スロットでの変調・符号化方式を決定する
ことを特徴とする請求項１１に記載の基地局装置。
【請求項１３】
当該基地局装置に接続されている前記複数のユーザ装置の各々から、当該基地局装置からそのユーザ装置への下りリンクのチャネル品質に基づく下りリンクチャネル品質情報を受信する受信部と、
過去の前記下りリンクチャネル品質情報に基づいて、前記複数のユーザ装置の各々への下りリンクのデータ送信に使用するための変調・符号化方式を決定する変調・符号化方式決定部と、
前記変調・符号化方式決定部で決定された変調・符号化方式を前記複数のユーザ装置の各々への下りリンクのデータ送信に使用すると仮定する場合に、前記スロットグループの各々における前記先頭の時間スロットでの前記複数のユーザ装置の各々への下りリンクのデータ送信に使用するリソースの所要個別数を計算する仮想所要個別数計算部とをさらに備え、
前記仮想所要個別数計算部で計算された各ユーザ装置のための所要個別数の合計が前記所要総数より小さい場合に、前記変調・符号化方式決定部は、少なくとも１つの前記ユーザ装置について、前記スロットグループの各々での前記先頭の時間スロットでは、過去の前記下りリンクチャネル品質情報に基づいて決定された変調・符号化方式よりも送信効率が低い新たな変調・符号化方式を決定する
ことを特徴とする請求項４から請求項１０のいずれか１項に記載の基地局装置。
【請求項１４】
前記仮想所要個別数計算部で計算された各ユーザ装置のための所要個別数の合計が前記所要総数より小さい場合、かつ前記新たな変調・符号化方式を決定しようとする前記ユーザ装置について送信効率が最低の変調・符号化方式が前記変調・符号化方式決定部で既に決定されている場合には、仮想所要個別数計算部で計算された当該ユーザ装置のための所要個別数より多い数のリソースを、前記下りリンクリソーススケジューラは、前記先頭の時間スロットでの当該ユーザ装置への下りリンクのデータ送信に使用するために選択する
ことを特徴とする請求項１３に記載の基地局装置。
【請求項１５】
請求項１から請求項１４のいずれか１項に記載の基地局装置と通信するユーザ装置であって、
前記基地局装置からの下りリンクのチャネル品質を推定し、前記チャネル品質に基づく下りリンクチャネル品質情報を生成する下りリンクチャネル品質推定部と、
前記下りリンクチャネル品質推定部で生成された前記下りリンクチャネル品質情報を前記基地局装置に送信する送信部とを備え、
前記送信部は、前記スロットグループの各々での前記先頭の時間スロットについての前記下りリンクチャネル品質情報を前記基地局装置に送信し、前記スロットグループの各々での前記後続の時間スロットについては前記下りリンクチャネル品質情報を前記基地局装置に送信しない
ことを特徴とするユーザ装置。
【請求項１６】
請求項１から請求項１４のいずれか１項に記載の基地局装置と通信するユーザ装置であって、
前記基地局装置からの下りリンクのチャネル品質を推定し、前記チャネル品質に基づく下りリンクチャネル品質情報を生成する下りリンクチャネル品質推定部と、
前記下りリンクチャネル品質推定部で生成された前記下りリンクチャネル品質情報を前記基地局装置に送信する送信部とを備え、
前記送信部は、前記スロットグループの各々での前記先頭の時間スロットについては、前記基地局装置が下りリンクのデータ送信に使用可能なすべてのリソースの前記下りリンクチャネル品質情報を前記基地局装置に送信し、前記スロットグループの各々での前記後続の時間スロットについては、前記基地局装置が前記先頭の時間スロットで下りリンクのデータ送信に使用した複数のリソースの前記下りリンクチャネル品質情報を前記基地局装置に送信する
ことを特徴とするユーザ装置。
【請求項１７】
前記基地局装置からの所望信号電力を推定する所望信号電力推定部と、
干渉および雑音電力を推定する干渉および雑音電力推定部と、
前記スロットグループの各々での前記先頭の時間スロットでの所望信号電力と、前記後続の時間スロットでの所望信号電力の差分を計算する所望信号電力差分計算部と、
前記スロットグループの各々での前記先頭の時間スロットでの干渉および雑音電力と、前記後続の時間スロットでの干渉および雑音電力の差分を計算する干渉および雑音電力差分計算部とをさらに備え、
前記送信部は、前記スロットグループの各々での前記後続の時間スロットについては、前記所望信号電力の差分と前記干渉および雑音電力の差分を示す情報を前記基地局装置に送信する
ことを特徴とする請求項１５に記載のユーザ装置。
【請求項１８】
請求項７または請求項８に記載の基地局装置と通信するユーザ装置であって、
前記基地局装置が下りリンクのデータ送信に使用可能な複数のリソースの各々について、下りリンクのチャネル品質を推定する下りリンクチャネル品質推定部と、
下りリンクのチャネル品質がより良好な所定数の前記リソースについて、下りリンクのプロポーショナル・フェアネス・メトリックまたは搬送波対干渉波比メトリックを示す情報を前記基地局装置に送信する送信部と
を備えるユーザ装置。
【請求項１９】
請求項９または請求項１０に記載の基地局装置と通信するユーザ装置であって、
前記複数のリソースグループの各々について、下りリンクのチャネル品質を推定する下りリンクチャネル品質推定部と、
下りリンクのチャネル品質がより良好な所定数の前記リソースグループについて、下りリンクのプロポーショナル・フェアネス・メトリックまたは搬送波対干渉波比メトリックを示す情報を前記基地局装置に送信する送信部と
を備えるユーザ装置。
【請求項２０】
請求項１から請求項１４のいずれか１項に記載の複数の基地局装置を備え、
前記複数の基地局装置が、前記時間スロットの各々の始期と終期、各時間スロットグループの始期と終期、ならびに各スロットグループを構成する時間スロットの数を共有する
ことを特徴とするセルラーシステム。
【請求項２１】
下りリンクのデータ送信の誤りまたは下りリンクのデータ送信の遅延を示す指標に基づいて、前記複数のスロットグループの各々を構成する時間スロットの数を調整するスロットグループ長調整部をさらに備え、
前記基地局装置の各々の前記送信部は、前記複数のスロットグループの各々を構成する時間スロットの数を示す信号を当該基地局装置に接続される前記複数のユーザ装置へ送信する
ことを特徴とする請求項２０に記載のセルラーシステム。
【請求項２２】
複数のユーザ装置に割り当てられる上りリンクのデータ送信のための複数のリソースを、複数の時間スロットの各々が有する、基地局間同期方式のセルラーシステムの基地局装置であって、
前記複数の時間スロットは複数のスロットグループにグループ化されており、前記複数のスロットグループの各々は複数の時間スロットを有しており、
当該基地局装置は、
前記スロットグループの各々での先頭の時間スロットで前記複数のユーザ装置に割り当てた上りリンクのデータ送信のための複数のリソースを示す情報を記憶する記憶部と、
前記スロットグループの各々での後続の時間スロットについて、前記先頭の時間スロットで前記複数のユーザ装置に割り当てた上りリンクのデータ送信のための複数のリソースの中から、前記複数のユーザ装置が上りリンクのデータ送信に使用するべき複数のリソースを選択する上りリンクリソーススケジューラとを
備える基地局装置。
【請求項２３】
前記記憶部は、前記スロットグループの各々での前記先頭の時間スロットで、前記複数のユーザ装置ごとに、上りリンクのデータ送信のために割り当てたリソースを示す情報を記憶し、
前記上りリンクリソーススケジューラは、前記スロットグループの各々での前記後続の時間スロットについて、前記先頭の時間スロットで各ユーザ装置に上りリンクのデータ送信のために割り当てたリソースのみをそのユーザ装置の上りリンクのデータ送信に割り当てるとともに、前記先頭の時間スロットで上りリンクのデータ送信のためにリソースを割り当てなかったユーザ装置にはリソースを割り当てない
ことを特徴とする請求項２２に記載の基地局装置。
【請求項２４】
前記複数のユーザ装置の各々から受信される上りリンクのデータ信号の複数のリソースごとに干渉および雑音電力を推定する干渉および雑音電力推定部を備え、
前記上りリンクリソーススケジューラは、前記スロットグループの各々での前記先頭の時間スロットで、前記干渉および雑音電力推定部で推定された干渉および雑音電力に基づいて、複数の前記後続の時間スロットでの前記複数のユーザ装置へのリソースの割り当てを実行する
ことを特徴とする請求項２２または請求項２３に記載の基地局装置。
【請求項２５】
請求項２２から請求項２４のいずれか１項に記載の複数の基地局装置を備え、
前記複数の基地局装置が、前記時間スロットの各々の始期と終期、各時間スロットグループの始期と終期、ならびに各スロットグループを構成する時間スロットの数を共有する
ことを特徴とするセルラーシステム。
【発明の詳細な説明】
【技術分野】
【０００１】
本発明は、基地局装置、ユーザ装置およびセルラーシステムに関する。
【背景技術】
【０００２】
セルラーシステムにおいては、複数の基地局装置が分散されて広範な通信エリアが形成される。セルラーシステムにおいては、１つの基地局装置に複数のユーザ装置（移動端末）が同時に接続するため、時間、周波数、または符号等で定義される複数の無線リソースを、複数のユーザ装置に割り当て、割り当てられた無線リソースを用いて基地局装置がユーザ装置に下りリンクのデータ送信を行う。
【０００３】
従来のセルラーシステムにおける下りリンクの無線リソーススケジューリングは、ユーザ装置で測定されたチャネル品質（例えば、ＳＩＮＲ（Signal to Interference plus Noise Ratio））に基づいている。つまり、従来のセルラーシステムにおける無線リソーススケジューリングは、一般に、これから送信するデータが、過去にユーザ装置において測定されフィードバックされたチャネル品質でユーザ装置に伝送されることを前提とする。例えば、非特許文献１には、プロポーショナル・フェアネス法と呼ばれる無線リソーススケジューリングが開示されている。
【０００４】
従来のユーザ装置でのチャネル品質に基づく下りリンクの無線リソーススケジューリングは、ユーザ装置の移動に起因するチャネル品質の変動に対して、ユーザ装置がチャネル品質を基地局装置に報告する周期（すなわちチャネル品質情報の報告インターバル）が十分に短い場合、有効である。つまり、ユーザ装置でのチャネル品質の測定時点と、基地局装置からユーザ装置への信号送信時点の間のチャネル品質の変動が非常に小さいとみなすことができる場合に、これは有効である。例えば、トラフィックがフルバッファ（Full buffer）状態であるとみなすことができるような、基地局装置からユーザ装置に定常的にデータ信号を送信する場合には、ユーザ装置での測定時点と基地局装置からのデータ信号送信時点の時間間隔が小さく、その間のチャネル品質の変動が非常に小さいとみなすことができる。
【先行技術文献】
【非特許文献】
【０００５】
【非特許文献１】Jin-Ghoo Choi and Saewoong Bahk, "Cell-Throughput Analysis of the Proportional Fair Scheduler in the Single-Cell Environment",  IEEE Transactions on Vehicular Technology, vol. 56, no. 2, pp. 766-778, Mar. 2007.
【発明の概要】
【発明が解決しようとする課題】
【０００６】
一方、現実的には、基地局装置において常に送信するデータが存在するわけではない。基地局装置から送信されるデータが少ない場合、ユーザ装置での測定時点と基地局装置からのデータ信号送信時点の時間間隔が大きいため、その間に大きなチャネル品質の変動が生じうる。特に、隣接する基地局装置が、非フルバッファ状態である場合（基地局装置が常に信号を送信するのではない場合）には、チャネル品質の変動が大きい。
【０００７】
隣接する基地局装置がフルバッファ状態である場合には、隣接する基地局が常に信号を送信するため、チャネル品質の変動（例えばＳＩＮＲの変動）は、主にユーザ装置の移動に起因する。一方、隣接する基地局装置が非フルバッファ状態である場合には、隣接する基地局装置が信号を送信したり送信しなかったりするため、干渉が大きく変動し、チャネル品質の変動（例えばＳＩＮＲの変動）が大きくなる。
【０００８】
隣接する基地局装置が非フルバッファ状態である場合には、ユーザ装置での測定時点と基地局装置からのデータ信号送信時点でのチャネル品質の変動が大きいため、チャネル利用効率が大きく劣化する可能性がある。例えば、ある時間スロットＸで、隣接する基地局装置があるリソースを使用して信号を送信し、次の時間スロットＸ＋１では、隣接する基地局装置が送信を行わないと想定する。ユーザ装置においては、時間スロットＸではそのリソースでのＳＩＮＲが小さいが、時間スロットＸ＋１ではそのリソースでのＳＩＮＲが大幅に向上する。時間スロットＸでのＳＩＮＲに基づいて、所望基地局装置がＭＣＳ（Modulation and channel Coding Scheme、変調・符号化方式）を決定し、時間スロットＸ＋１でそのＭＣＳに従って信号を送信する場合、実際のＳＩＮＲに対して小さいスループットしか達成できない。
【０００９】
逆に、ある時間スロットＸで、隣接する基地局装置が信号を送信せず、次の時間スロットＸ＋１では、隣接する基地局装置がある時間スロットＸであるリソースを使用して信号を送信すると想定する。ユーザ装置においては、時間スロットＸではそのリソースでのＳＩＮＲが大きいが、時間スロットＸ＋１ではそのリソースでのＳＩＮＲが大幅に低下する。時間スロットＸでのＳＩＮＲに基づいて、所望基地局装置がＭＣＳを決定し、時間スロットＸ＋１でそのＭＣＳに従って信号を送信する場合、ユーザ装置では、送信された信号の検出が非常に困難であり、正しく復号できない可能性が高く、場合によっては、信号の再送が必要となりうる。
【００１０】
以上のいずれの場合も、潜在的に達成可能なスループットに比べて、実現されるスループットは減少する。この問題は、特に、基地局装置とユーザ装置の間の通信にOFDM（直交周波数分割多重方式）を使用する場合に顕著である。
【００１１】
隣接する複数の基地局装置にそれぞれ接続される複数のユーザ装置からの上りリンクのデータ送信も、同様の問題を有する。つまり、個々のユーザ装置は常にデータを送信するのではないため、隣接する基地局装置において干渉が大きく変動し、このためにチャネル利用効率が大きく劣化する可能性がある。
【００１２】
そこで、本発明は、下りリンクのデータ送信または上りリンクのデータ送信についての干渉の変動を低減することができる基地局装置、ユーザ装置およびセルラーシステムを提供する。
【課題を解決するための手段】
【００１３】
本発明に係る第１の態様においては、基地局装置は、複数のユーザ装置に割り当てられる下りリンクのデータ送信のための複数のリソースを、複数の時間スロットの各々が有する、基地局間同期方式のセルラーシステムの基地局装置であって、前記複数の時間スロットは複数のスロットグループにグループ化されており、前記複数のスロットグループの各々は複数の時間スロットを有しており、当該基地局装置は、前記スロットグループの各々での先頭の時間スロットで前記複数のユーザ装置への下りリンクのデータ送信に使用した複数のリソースを示す情報を記憶する記憶部と、前記スロットグループの各々での後続の時間スロットについて、前記先頭の時間スロットで前記複数のユーザ装置への下りリンクのデータ送信に使用した複数のリソースの中から、前記複数のユーザ装置への下りリンクのデータ送信に使用するべき複数のリソースを選択する下りリンクリソーススケジューラと、前記下りリンクリソーススケジューラで選択された複数のリソースを使用して、前記複数のユーザ装置への下りリンクのデータ送信を実行する送信部とを備える。
【００１４】
本発明に係る第２の態様においては、基地局装置は、複数のユーザ装置に割り当てられる上りリンクのデータ送信のための複数のリソースを、複数の時間スロットの各々が有する、基地局間同期方式のセルラーシステムの基地局装置であって、前記複数の時間スロットは複数のスロットグループにグループ化されており、前記複数のスロットグループの各々は複数の時間スロットを有しており、当該基地局装置は、前記スロットグループの各々での先頭の時間スロットで前記複数のユーザ装置に割り当てた上りリンクのデータ送信のための複数のリソースを示す情報を記憶する記憶部と、前記スロットグループの各々での後続の時間スロットについて、前記先頭の時間スロットで前記複数のユーザ装置に割り当てた上りリンクのデータ送信のための複数のリソースの中から、前記複数のユーザ装置が上りリンクのデータ送信に使用するべき複数のリソースを選択する上りリンクリソーススケジューラとを備える。
【発明の効果】
【００１５】
本発明の第１の態様によれば、基地局装置は、スロットグループの各々において、先頭の時間スロットで使用した下りリンクのデータ送信のためのリソース以外のリソースを後続の時間スロットでは下りリンクのデータ送信に使用しない。つまり、セルラーシステムでは、いずれの基地局装置においても、各スロットグループの範囲内で、ほぼ一定のリソースだけが下りリンクのデータ送信に使用される。後続の時間スロットで使用されるリソースが先頭の時間スロットで使用されたリソースより減ることはあっても、増えることはない。したがって、各スロットグループの範囲内で、下りリンクのセル間干渉が安定化され、ひいてはチャネル品質の変動が抑制される。
【００１６】
本発明の第２の態様によれば、基地局装置は、スロットグループの各々において、先頭の時間スロットで複数のユーザ装置に割り当てた上りリンクのデータ送信のためのリソースブロック以外のリソースブロックＲＢを後続の時間スロットでは上りリンクのデータ送信のためにユーザ装置に割り当てない。したがって、複数のユーザ装置は全体として、各スロットグループでの後続の時間スロットにおいては、基地局装置でそのように割り当てられたリソースブロックＲＢのみを使用して上りリンクのデータ送信を実行する。セルラーシステムでは、いずれの基地局装置についても、各スロットグループの範囲内で、複数のユーザ装置は、ほぼ一定のリソースだけを上りリンクのデータ送信に使用する。後続の時間スロットで使用されるリソースが先頭の時間スロットＳ１で使用されたリソースより減ることはあっても、増えることはない。したがって、各スロットグループの範囲内で、上りリンクのセル間干渉が安定化され、ひいてはチャネル品質の変動が抑制される。
【図面の簡単な説明】
【００１７】
【図１】本発明の第１の実施の形態に係る無線通信システムを示すブロック図である。
【図２】第１の実施の形態に係る無線通信システムでの下りリンクの無線リソースを示す図である。
【図３】第１の実施の形態に係る基地局装置を示すブロック図である。
【図４】ユーザ装置から基地局にフィードバックされうるCQIが示すインデックスと、インデックスで指定されるMCSの例を示す表である。
【図５】第１の実施の形態に係る、複数のリソースグループにグループ化された下りリンクの無線リソースを示す図である。
【図６】第１の実施の形態に係るユーザ装置を示すブロック図である。
【図７】本発明の第２の実施の形態に係るユーザ装置を示すブロック図である。
【図８】本発明の第３の実施の形態に係るユーザ装置を示すブロック図である。
【図９】本発明の第４の実施の形態に係る基地局装置を示すブロック図である。
【図１０】本発明の第５の実施の形態に係る、複数のリソースグループにグループ化された下りリンクの無線リソースを示す図である。
【図１１】本発明の第６の実施の形態に係る無線通信システムを示すブロック図である。
【図１２】本発明の第７の実施の形態に係る基地局装置を示すブロック図である。
【発明を実施するための形態】
【００１８】
以下、添付の図面を参照しながら本発明に係る様々な実施の形態を説明する。
【００１９】
第１の実施の形態
図１は、本発明の第１の実施の形態に係る無線通信システム、すなわちセルラーシステムを示すブロック図である。無線通信システムは複数の基地局装置１００を備える。基地局装置１００は有線または無線にて相互に接続されて、相互に通信可能である。
【００２０】
各基地局装置１００は、所定の無線アクセス技術（Radio Access Technology）、例えば3GPP（Third Generation Partnership Project）におけるLTE（Long Term Evolution）に従って、ユーザ装置２００と無線通信を行う。下りリンクの無線送信方式としてＯＦＤＭＡ（Orthogonal Frequency Division Multiple Access）が採用され、上りリンクの無線送信方式としてＳＣ−ＦＤＭＡ（Single-Carrier Frequency Division Multiple Access）が採用される。各ユーザ装置２００はUE（user equipment）であり、各基地局装置１００はeNB（evolved Node B）である。
【００２１】
隣接する複数の基地局装置１００が同じ周波数を用いて同時に下りリンク送信をするとき、宛先である複数のユーザ装置２００は干渉を受ける。また、隣接する複数の基地局装置１００にそれぞれ接続される複数のユーザ装置２００が同じ周波数を用いて同時に上りリンク送信をするとき、宛先である複数の基地局装置１００は干渉を受ける。
【００２２】
図２は、第１の実施の形態に係る無線通信システムでの下りリンクの無線リソースを示す図である。図２において、最小の升目は、各ユーザ装置２００に割り当てられるリソースブロックＲＢである。各リソースブロックＲＢは時間および周波数で特定される。
【００２３】
図２に示すように、本発明においては時間スロットという概念が使用される。本明細書において、「時間スロット」は１ｍｓの長さのサブフレームである。但し、「時間スロット」は１０ｍｓの長さの無線フレームであってもよいし、いくつかのサブフレームの集合であってもよい。いずれにせよ、各時間スロットは、少なくとも１つのユーザ装置２００に割り当て可能な複数のリソースブロックＲＢを有する。
【００２４】
これらの時間スロットは、複数のスロットグループにグループ化されている。複数のスロットグループの各々は複数の所定数の時間スロットを有する。図２の例では、各スロットグループは、１０個の時間スロットを有しており、各スロットグループを構成する１０個の時間スロットは時間的に連続している。但し、各スロットグループを構成するスロットの数は１０に限られない。
【００２５】
この無線通信システムは基地局間同期システムである。この無線通信システムにおいては、すべての基地局装置１００が、各スロットグループの始期と終期、各スロットの始期と終期を共有している。また、各スロットグループを構成するスロットの数も、すべての基地局装置１００が共有している。但し、無線通信システムのすべての基地局装置１００がこれらを共有しなくてもよく、少なくともある特定のエリアにある基地局装置１００がこれらを共有していてもよい。
【００２６】
各基地局装置１００は、スロットグループの各々において先頭の時間スロットＳ１で複数のユーザ装置２００への下りリンクのデータ送信に使用した複数のリソースブロックＲＢを記憶し、後続の時間スロット（先頭の時間スロットＳ１を除く複数の時間スロット）においては、先頭の時間スロットＳ１で複数のユーザ装置２００への下りリンクのデータ送信に使用した複数のリソースブロックＲＢの中から、複数のユーザ装置２００への下りリンクのデータ送信に使用するべき複数のリソースブロックＲＢを選択する。つまり、各基地局装置１００は、スロットグループの各々において、先頭の時間スロットＳ１で下りリンクのデータ送信に使用したリソースブロックＲＢ以外のリソースブロックＲＢを後続の時間スロットでは下りリンクのデータ送信に使用しない。
【００２７】
図３に示すように、各基地局装置１００は、無線通信部（送信部、受信部）１１０、送受信アンテナ１１２、基地局間通信部１２０、記憶部１２２、符号化部１２４、変調部１２６、バッファ１２８、および制御部１３０を備える。
【００２８】
無線通信部１１０は、ユーザ装置２００と無線通信を実行するための要素であり、ユーザ装置２００から電波を受信して電気信号に変換する受信回路（図示せず）と、ユーザ装置２００に送信されるべき電気信号を電波に変換して送信する送信回路（図示せず）とを備える。
【００２９】
基地局間通信部１２０は、他の基地局装置と通信を実行するための要素であり、他の無線基地局装置と電気信号を送受信する。基地局間通信には、有線通信が利用されるが、無線通信を利用してもよい。
【００３０】
制御部１３０は、下りリンクリソーススケジューラ１３２、ＭＣＳ（変調・符号化方式）決定部１３４、ＰＦ（プロポーショナル・フェアネス）メトリック計算部１３６、所要総数決定部１３８、個別トラフィック量推定部１４０および所要個別数決定部１４２を備える。制御部１３０は例えばＣＰＵ（Central Processing Unit）である。下りリンクリソーススケジューラ１３２、ＭＣＳ決定部１３４、ＰＦメトリック計算部１３６、所要総数決定部１３８、個別トラフィック量推定部１４０および所要個別数決定部１４２は、ＣＰＵが図示しないＲＯＭ（Read Only Memory）に記憶されたコンピュータプログラムを実行し、そのコンピュータプログラムに従って機能することにより実現される機能ブロックである。記憶部１２２は制御部１３０のワークエリアであり、例えばＲＡＭ（Random Access Memory）である。
【００３１】
制御部１３０は、データを符号化部１２４に供給し、符号化部１２４はデータのチャネル符号化を行う。変調部１２６は、符号化されたデータを変調して、変調されたデータをバッファ１２８に蓄積する。バッファ１２８に蓄積されたデータは、無線通信部１１０に順次読み出されて、宛先のユーザ装置２００に送信される。したがって、バッファ１２８は、当該基地局装置１００に接続されているすべてのユーザ装置２００へ送信されるべきデータを一時的に格納する。
【００３２】
制御部１３０において、下りリンクリソーススケジューラ１３２は、下りリンクのリソーススケジューリングを実行する。具体的には、基地局装置１００に接続されている複数のユーザ装置２００に下りリンクのリソースブロックＲＢをそれぞれ割り当てる。無線通信部１１０は、下りリンクリソーススケジューラ１３２で割り当てられたリソースブロックＲＢを使用して、複数のユーザ装置２００への下りリンクのデータ送信を実行する。
【００３３】
下りリンクリソーススケジューラ１３２は、図２を参照して上述したスロットグループの各々について先頭の時間スロットＳ１で、基地局装置１００に接続されている複数のユーザ装置２００への下りリンクのデータ送信に使用した複数のリソースブロックＲＢを示す情報を記憶部１２２に記憶する。下りリンクリソーススケジューラ１３２は、記憶部１２２の記憶を参照し、各スロットグループでの後続の時間スロット（先頭の時間スロットＳ１を除く複数の時間スロット）においては、先頭の時間スロットＳ１で複数のユーザ装置２００への下りリンクのデータ送信に使用した複数のリソースブロックＲＢの中から、複数のユーザ装置２００への下りリンクのデータ送信に使用するべき複数のリソースブロックを選択する。つまり、各基地局装置１００は、スロットグループの各々において、先頭の時間スロットＳ１で使用した下りリンクのデータ送信のためのリソースブロックＲＢ以外のリソースブロックＲＢを後続の時間スロットでは下りリンクのデータ送信に使用しない。したがって、無線通信部１１０は、各スロットグループでの後続の時間スロットにおいては、下りリンクリソーススケジューラ１３２でそのように選択されたリソースブロックＲＢのみを使用して複数のユーザ装置２００への下りリンクのデータ送信を実行する。
【００３４】
所要総数決定部１３８は、スロットグループの各々における先頭の時間スロットＳ１での、この基地局装置１００に接続される複数のユーザ装置２００への下りリンクのデータ送信に使用するリソースブロックＲＢの所要総数ＮＳ１ＴＲＢを決定する。個別トラフィック量推定部１４０は、各ユーザ装置２００に送信されるべき下りリンクのデータトラフィック量を推定する。所要個別数決定部１４２は、各時間スロットでの、各ユーザ装置２００への下りリンクのデータ送信に使用するリソースブロックＲＢの所要個別数ＮＳ１ＩＲＢを決定する。
【００３５】
ＭＣＳ決定部１３４は、基地局装置１００に接続されている複数のユーザ装置２００の各々から送信されて無線通信部１１０で受信された下りリンクチャネル品質情報に基づいて、各ユーザ装置２００への下りリンクのデータ送信に使用するための変調・符号化方式（ＭＣＳ）を決定する。この目的のため、無線通信部１１０は、基地局装置１００に接続されている複数のユーザ装置２００から下りリンクチャネル品質情報を受信する。下りリンクチャネル品質情報は、各ユーザ装置２００で測定されるＳＩＮＲに基づいており、基地局装置１００からそのユーザ装置２００へのチャネル品質を示すとみなすことができる。各ユーザ装置２００から送信される下りリンクチャネル品質情報は、ＳＩＮＲを直接的に示す情報であってもよいし、ＳＩＮＲからユーザ装置２００で決定されユーザ装置２００への送信に使用されるべきＭＣＳを示すチャネル品質インジケータ（channel quality indicator、CQI）であってもよい。
【００３６】
図４は、ユーザ装置２００からフィードバックされうるＣＱＩを示すインデックス(0〜15)と、そのインデックス（ＣＱＩインデックス）で指定されるＭＣＳの例を示す表である。ＣＱＩインデックスが大きいほど、送信効率は高い。送信効率が高いほど、ユーザ装置２００で受信されるデータの誤り率が上昇しがちである。換言すれば、低い送信効率のＭＣＳを使用すれば、ユーザ装置２００でのデータの誤り率が低減されることが期待される。
【００３７】
ＭＣＳ決定部１３４は、各ユーザ装置２００からフィードバックされた下りリンクチャネル品質情報に基づいて、そのユーザ装置２００への下りリンクのデータ送信に使用されるべき変調方式および符号化方式を決定する。ＭＣＳ決定部１３４は、決定した変調方式でデータを変調するよう変調部１２６を制御し、決定した符号化方式でデータを符号化するよう符号化部１２４を制御する。
【００３８】
ＰＦメトリック計算部１３６は、基地局装置１００に接続されている複数のユーザ装置２００の各々から送信されて無線通信部１１０で受信された下りリンクチャネル品質情報に基づいて、各ユーザ装置２００について、かつ無線基地局装置１００が下りリンクのデータ送信に使用可能なすべてのリソースブロックＲＢの各々について、プロポーショナル・フェアネス・メトリック（ＰＦメトリック）を計算する。
【００３９】
ＰＦメトリックは、瞬時ＳＩＮＲを、過去のＳＩＮＲの平均値で割り算することで得ることができる。ユーザ装置２００から下りリンクチャネル品質情報としてＳＩＮＲを直接的に示す情報がフィードバックされる場合、ＰＦメトリック計算部１３６はこの手法でＰＦメトリックを計算することができる。あるいは、ＰＦメトリックは、瞬時ＣＱＩインデックスの値を、過去のＣＱＩインデックスの値の平均値で割り算することで得ることができる。ユーザ装置２００から下りリンクチャネル品質情報としてＣＱＩインデックスがフィードバックされる場合、ＰＦメトリック計算部１３６はこの手法でＰＦメトリックを計算することができる。あるいは、ＰＦメトリック計算部１３６は、ユーザ装置２００から下りリンクチャネル品質情報としてフィードバックされたＣＱＩインデックスの値をＳＩＮＲに換算し、瞬時ＳＩＮＲを過去のＳＩＮＲの平均値で割り算してＰＦメトリックを計算してもよい。
【００４０】
ＰＦメトリック計算部１３６は、計算されたこれらのＰＦメトリックを下りリンクリソーススケジューラ１３２に供給する。下りリンクリソーススケジューラ１３２は、これらのＰＦメトリックを参照し、プロポーショナル・フェアネス法に従って、各ユーザ装置２００にリソースブロックＲＢを割り当てる。すなわち、ユーザスケジューリング方法は、公知の方法でよい。
【００４１】
この実施の形態では、各基地局装置１００は、スロットグループの各々において、先頭の時間スロットＳ１で使用した下りリンクのデータ送信のためのリソースブロックＲＢ以外のリソースブロックＲＢを後続の時間スロットＳ２〜Ｓ１０では下りリンクのデータ送信に使用しない。つまり、いずれの基地局装置１００においても、各スロットグループの範囲内で、ほぼ一定のリソースブロックＲＢだけが下りリンクのデータ送信に使用される。後続の時間スロットで使用されるリソースブロックＲＢが先頭の時間スロットＳ１で使用されたリソースブロックＲＢより減ることはあっても、増えることはない。したがって、各スロットグループの範囲内で、セル間干渉が安定化され、ひいてはチャネル品質の変動が抑制される。各ユーザ装置２００では先頭の時間スロットＳ１で測定されたＳＩＮＲが、このユーザ装置２００にとってそのスロットグループの後続する時間スロットでのＳＩＮＲの最低値となる。
【００４２】
各基地局装置１００において後続の時間スロットＳ２〜Ｓ１０では複数のユーザ装置２００への下りリンクのデータ送信に使用可能なリソースブロックＲＢの上限が規制されているので、各ユーザ装置２００が移動せず、かつ下りリンクのトラフィック量が変化しないと仮定すれば、各スロットグループの範囲内で、先頭の時間スロットＳ１で使用されたリソースブロックＲＢと同じリソースブロックＲＢが後続の時間スロットでも使用される。このような仮定の下では、各スロットグループの範囲内で、干渉が一定になるのでチャネル品質の変動はほぼないと考えられる。チャネル品質の変動がないと仮定すれば、各ユーザ装置２００では先頭の時間スロットＳ１で測定されたＳＩＮＲが、このユーザ装置２００にとってそのスロットグループの後続する時間スロットでのＳＩＮＲとほぼ等しいことになる。
【００４３】
実際には、各ユーザ装置２００が移動することによりチャネル品質が変動する。また、下りリンクのトラフィック量の変化により、基地局装置１００で使用するリソースブロックＲＢが変化して、干渉量が変化するため、チャネル品質が変動しうる。しかしながら、各基地局装置１００で、後続の時間スロットでは使用可能なリソースブロックＲＢの上限が規制されているので、各スロットグループの範囲内で、セル間干渉がほぼ一定になり、チャネル品質の変動が顕著に抑制される。
【００４４】
セル間干渉の抑圧の技術としては、複数の基地局装置が協調して下りリンクの送信を行うCoMP（Coordinated Multiple Point transmission and reception）が知られている。CoMPでは、基地局装置がユーザ装置でのチャネル品質に関する情報を交換する必要がある。しかし、この実施の形態に係る方式では、各基地局装置１００は、独自に各スロットグループ内での後続する時間スロットで使用可能なリソースブロックＲＢを規制する。後述するように、先頭の時間スロットＳ１でのリソースブロックＲＢの所要数を決定するために、各基地局装置１００は、他の基地局装置の下りリンクのデータトラフィック量を考慮してもよいが、その場合でも基地局装置１００相互に交換する情報量は、ユーザ装置でのチャネル品質に関する情報を基地局装置が共有する場合に比べて、少なくて済む。
【００４５】
以上のように、各スロットグループの範囲内でチャネル品質の変動が顕著に抑制されるので、各スロットグループの範囲内では、先頭の時間スロットＳ１でユーザ装置２００により測定されたＳＩＮＲまたはそれに対応する指標に基づいて、基地局装置１００がＭＣＳを決定すれば、そのＭＣＳは後続の時間スロットにもおおむね適切であると考えられる。そのように決定されたＭＣＳに従って下りリンクのデータ送信を行うことにより、潜在的に達成可能なスループットに近いスループットを達成できるようになると考えられる。
【００４６】
また、各スロットグループの範囲内で、チャネル品質の変動が顕著に抑制されるので、各スロットグループの範囲内では、先頭の時間スロットＳ１でユーザ装置２００により測定されたＳＩＮＲに基づいて、下りリンクリソーススケジューラ１３２は、後続の時間スロットでのユーザスケジューリングを実施すればよい。ユーザスケジューリング方法としては、上記の通り公知の方法を用いることができる。
【００４７】
上記のように、各スロットグループでは、先頭の時間スロットＳ１でユーザ装置２００により測定されるＳＩＮＲが重要となりうる。そこで、基地局装置１００においては、無線通信部１１０が、各スロットグループの先頭の時間スロットＳ１では、後続の時間スロットＳ２〜Ｓ１０の各々での参照信号よりも多数の参照信号（ＳＩＮＲの測定のための参照信号）を送信すると好ましい。ＳＩＮＲの測定のための参照信号には、例えば、セル固有参照信号（CRS）またはチャネル状態情報参照信号（channel state information RS（CSI-RS））がある。
【００４８】
但し、ユーザ装置２００の移動によるチャネル変動の影響をより的確に考慮するため、後続の時間スロットＳ２〜Ｓ１０でも、ユーザ装置２００がチャネル品質を測定して、基地局装置１００に下りリンクチャネル品質情報をフィードバックしてもよい。
【００４９】
各基地局装置１００において、所要総数決定部１３８はスロットグループの各々における先頭の時間スロットＳ１での、この基地局装置１００に接続される複数のユーザ装置２００への下りリンクのデータ送信に使用するリソースブロックＲＢの所要総数ＮＳ１ＴＲＢを以下の方式に従って決定することが好ましい。但し、リソースブロックＲＢの所要総数ＮＳ１ＴＲＢは、以下の方式に従わずに任意に決定してもよい。
【００５０】
（１）所要総数決定部１３８は、当該基地局装置１００での過去の下りリンクのデータトラフィック量（この基地局装置１００に接続される複数のユーザ装置２００に対する）、またはこの基地局装置１００に接続される複数のユーザ装置２００に対して過去に下りリンクのデータ送信に使用されたリソースブロックＲＢの数に基づいて、スロットグループの各々における先頭の時間スロットＳ１での下りリンクのデータ送信に使用するリソースブロックＲＢの所要総数ＮＳ１ＴＲＢを決定することができる。例えば、リソースブロックＲＢの所要総数ＮＳ１ＴＲＢは、過去のいずれかの単一の時間スロットで下りリンクのデータ送信に使用されたリソースブロックＲＢの数と等しくてもよい。あるいは、リソースブロックＲＢの所要総数ＮＳ１ＴＲＢは、時間スロットあたりの平均リリソースブロックＲＢ数であってもよい。例えば、所要総数ＮＳ１ＴＲＢは、直前のスロットグループのすべてまたはいくつかの時間スロットで下りリンクのデータ送信に使用されたリソースブロックＲＢの総数を、それらの時間スロットの数で除算した数であってもよい。あるいは、所要総数決定部１３８は、当該基地局装置１００での過去のデータトラフィック量（例えば、直前のスロットグループで下りリンクのデータ送信されたデータの量）を演算処理することにより、リソースブロックＲＢの所要総数ＮＳ１ＴＲＢを決定してもよい。
【００５１】
以上のように所要総数ＮＳ１ＴＲＢを決定することにより、各基地局装置１００は、この基地局装置１００に接続される複数のユーザ装置２００に対して過去の時間スロットで下りリンクのデータ送信に使用されたリソースブロックＲＢの数と、あまり変わらない数ＮＳ１ＴＲＢのリソースブロックＲＢを先頭の時間スロットＳ１で下りリンクのデータ送信に使用することができる。したがって、各基地局装置１００の下りリンクリソーススケジューラ１３２は、引き続き精度の良いチャネル品質情報に基づき動作することができる。
【００５２】
（２）バッファ１２８に格納されているデータの量（すなわちこれから下りリンクのデータ送信すべきデータの量）に基づいて、所要総数決定部１３８は、方式（１）で決定された、スロットグループの各々における先頭の時間スロットＳ１での下りリンクのデータ送信に使用するリソースブロックＲＢの所要総数ＮＳ１ＴＲＢを補正してもよい。バッファ１２８に格納されているデータの量が多ければ、所要総数決定部１３８は所要総数ＮＳ１ＴＲＢを増加させてよく、データの量が多いほど、増加分を大きくしてよい。バッファ１２８に格納されているデータの量が少なければ、所要総数決定部１３８は所要総数ＮＳ１ＴＲＢを減少させてよく、データの量が少ないほど、減少分を大きくしてよい。
【００５３】
バッファ１２８に格納されているデータの量に対する具体的な補正量は、例えば、あらかじめテーブルに記録してもよい。テーブルは、例えば、図示しないＲＯＭに格納することができる。補正量は、正の値もありうるし負の値もありうる。あるいは、所要総数決定部１３８は、バッファ１２８に格納されているデータの量に応じて、所要総数ＮＳ１ＴＲＢを補正する数式を使用してもよい。
【００５４】
バッファ１２８に格納されているデータの量に基づいて、所要総数ＮＳ１ＴＲＢを補正することにより、現在下りリンクのデータ送信に必要な所要総数ＮＳ１ＴＲＢのリソースブロックＲＢを基地局装置１００は確保することができる。
【００５５】
（３）直前のスロットグループの先頭の時間スロットＳ１でバッファ１２８に格納されていたデータの量と、現在バッファ１２８に格納されているデータの量の差分に基づいて、所要総数決定部１３８は、方式（１）で決定された（あるいは方式（２）で補正された）、リソースブロックＲＢの所要総数ＮＳ１ＴＲＢを補正してもよい。現在のデータの量が過去のデータの量より多ければ、所要総数決定部１３８は所要総数ＮＳ１ＴＲＢを増加させてよく、その差分が大きいほど、増加分を大きくしてよい。現在のデータの量が過去のデータの量より少なければ、所要総数決定部１３８は所要総数ＮＳ１ＴＲＢを減少させてよく、その差分が大きいほど、減少分を大きくしてよい。
【００５６】
差分に対する具体的な補正量は、例えば、あらかじめテーブルに記録してもよい。テーブルは、例えば、図示しないＲＯＭに格納することができる。補正量は、正の値もありうるし負の値もありうる。あるいは、所要総数決定部１３８は、差分に応じて、所要総数ＮＳ１ＴＲＢを補正する数式を使用してもよい。
【００５７】
上記の差分に基づいて、所要総数ＮＳ１ＴＲＢを補正することにより、現在下りリンクのデータ送信に必要な所要総数ＮＳ１ＴＲＢのリソースブロックＲＢを基地局装置１００は確保することができる。
【００５８】
（４）他の基地局装置１００の下りリンクのデータ送信のデータトラフィック量を示す情報に基づいて、所要総数決定部１３８は、方式（１）で決定された（あるいは方式（２）および／または方式（３）で補正された）、スロットグループの各々における先頭の時間スロットＳ１での下りリンクのデータ送信に使用するリソースブロックＲＢの所要総数ＮＳ１ＴＲＢを補正してもよい。この目的のため、基地局装置１００は、基地局装置１００自身の下りリンクのデータトラフィック量を示す情報を、基地局間通信部１２０を使用して他の基地局装置１００に適切な時間間隔で送信してもよい。あるいは、各ユーザ装置２００は、そのユーザ装置２００が接続された所望の基地局装置１００に、他の基地局装置からの干渉量を示す信号を送信してもよい。他の基地局装置からの干渉量を示す信号に基づいて、基地局装置１００の制御部１３０は、他の基地局装置１００の下りリンクのデータトラフィック量を示す情報を推定することができる。
【００５９】
他の基地局装置１００が上記の方式（１）に従ってリソースブロックＲＢの所要総数ＮＳ１ＴＲＢを決定する場合には、他の基地局装置１００の下りリンクのデータトラフィック量が大きい場合に、その他の基地局装置が与える干渉が大きいと考えられる（ユーザ装置２００でのＳＩＮＲは低下すると考えられる）。逆に他の基地局装置１００の下りリンクのデータトラフィック量が小さい場合には、その他の基地局装置が与える干渉が小さいと考えられる（ユーザ装置２００でのＳＩＮＲは向上すると考えられる）。そこで、所要総数決定部１３８は、他の基地局装置１００の下りリンクのデータトラフィック量が大きい場合には、所要総数ＮＳ１ＴＲＢを増加させ、他の基地局装置１００の下りリンクのデータトラフィック量が小さい場合には、所要総数ＮＳ１ＴＲＢを減少させるのが好ましい。
【００６０】
他の基地局装置１００の下りリンクのデータ送信トラフィック量に対する具体的な補正量は、例えば、あらかじめテーブルに記録してもよい。テーブルは、例えば、図示しないＲＯＭに格納することができる。補正量は、正の値もありうるし負の値もありうる。あるいは、所要総数決定部１３８は、他の基地局装置１００の下りリンクのデータトラフィック量に応じて、所要総数ＮＳ１ＴＲＢを補正する数式を使用してもよい。
【００６１】
他の基地局装置１００の下りリンクのデータトラフィック量を示す情報に基づいて、所要総数ＮＳ１ＴＲＢを補正することにより、他の基地局装置１００での送信に起因する干渉量に対して適切な所要総数ＮＳ１ＴＲＢのリソースブロックＲＢを基地局装置１００は確保することができる。
【００６２】
以上のように、所要総数決定部１３８が先頭の時間スロットＳ１での下りリンクのデータ送信に使用するリソースブロックＲＢの所要総数ＮＳ１ＴＲＢを決定した後、下りリンクリソーススケジューラ１３２は、どのリソースブロックＲＢを先頭の時間スロットＳ１で複数のユーザ装置２００への下りリンクのデータ送信に使用するかを決定することができる。複数のユーザ装置２００への下りリンクのデータ送信のためのリソースブロックＲＢの決定（すなわち選択）は、以下の方式に従うことが好ましい。
【００６３】
当該基地局装置１００に接続されている複数のユーザ装置２００の各々について、かつ当該基地局装置１００が下りリンクのデータ送信に使用可能な複数のリソースブロックＲＢの各々について計算された複数の過去の下りリンクのＰＦメトリックに基づいて、下りリンクリソーススケジューラ１３２は、先頭の時間スロットＳ１での複数のユーザ装置２００への下りリンクのデータ送信に使用するために選択することができる。これらのＰＦメトリックは、ＰＦメトリック計算部１３６で計算される。但し、後述する他の実施の形態に関して説明するように、これらのＰＦメトリックは、各ユーザ装置２００で計算されて、各ユーザ装置２００から基地局装置１００に報告されてもよい。
【００６４】
過去の下りリンクのＰＦメトリックがより大きい所要総数ＮＳ１ＴＲＢのリソースブロックＲＢを、下りリンクリソーススケジューラ１３２は、先頭の時間スロットＳ１での複数のユーザ装置２００への下りリンクのデータ送信に使用するために選択することができる。つまり、もし所要総数ＮＳ１ＴＲＢが５であるならば、第１番目から第５番目までの良好なＰＦメトリックに対応するリソースブロックＲＢを、下りリンクリソーススケジューラ１３２は複数のユーザ装置２００のために選択することができる。
【００６５】
ここで「過去」とは、直前のスロットグループのいずれかの時間スロットを指す。ユーザ装置２００でのチャネル品質の測定時点と下りリンクのリソーススケジューリングの時点ではタイムラグがあるので、直前のスロットグループの最終の時間スロットＳ１０でのＰＦメトリックに基づいて、現在のスロットグループの先頭の時間スロットＳ１でのリソースブロックＲＢを選択することはできない。タイムラグの長さは、各時間スロットの長さ、ならびにユーザ装置２００と基地局装置１００の処理性能に依存する。例えば、直前のスロットグループの時間スロットＳ７でのＰＦメトリックに基づいて、下りリンクリソーススケジューラ１３２は現在のスロットグループの先頭の時間スロットＳ１でのリソースブロックＲＢを選択してよい。
【００６６】
このように良好なＰＦメトリックに対応するリソースブロックＲＢを選択することにより、高いスループットで下りリンクのデータ送信を実行することができる。
【００６７】
また、下りリンクリソーススケジューラ１３２は、ユーザスケジューリング、すなわち個々のユーザ装置２００へのリソースブロックＲＢの割り当てを実行する。リソースブロックＲＢの割り当ては、以下の方式に従うことが好ましい。
【００６８】
個別トラフィック量推定部１４０は、当該基地局装置１００から複数のユーザ装置２００の各々に送信されるべき下りリンクのデータトラフィック量を推定する。所要個別数決定部１４２は、スロットグループの各々での先頭の時間スロットＳ１での各ユーザ装置２００への下りリンクのデータ送信に使用するリソースブロックＲＢの所要個別数ＮＳ１ＩＲＢを決定する。所要個別数決定部１４２は、当該基地局装置１００からユーザ装置２００への過去の下りリンクのチャネル品質と、個別トラフィック量推定部１４０で推定された当該ユーザ装置２００へのデータトラフィック量に基づいて、先頭の時間スロットＳ１での所要個別数ＮＳ１ＩＲＢを決定する。より具体的には、所要個別数決定部１４２は、過去の下りリンクのチャネル品質に基づいて、ＭＣＳ決定部１３４で決定されたユーザ装置２００への下りリンクのデータ送信に使用されるべき変調方式および符号化方式に対応する送信効率（図４参照）と、当該ユーザ装置２００へのデータトラフィック量に基づいて、先頭の時間スロットＳ１でのユーザ装置２００のための所要個別数ＮＳ１ＩＲＢを決定する。
【００６９】
当該ユーザ装置２００について、かつ当該基地局装置１００が下りリンクのデータ送信に使用可能な複数のリソースブロックＲＢの各々について計算された複数の過去の下りリンクのＰＦメトリックに基づいて、下りリンクリソーススケジューラ１３２は、先頭の時間スロットＳ１での当該ユーザ装置２００への下りリンクのデータ送信に使用するために選択することができる。これらのＰＦメトリックは、ＰＦメトリック計算部１３６で計算される。但し、後述する他の実施の形態に関して説明するように、これらのＰＦメトリックは、各ユーザ装置２００で計算されて、各ユーザ装置２００から基地局装置１００に報告されてもよい。
【００７０】
当該ユーザ装置２００についての過去の下りリンクのＰＦメトリックがより大きい所要個別数ＮＳ１ＩＲＢのリソースブロックＲＢを、下りリンクリソーススケジューラ１３２は、先頭の時間スロットＳ１での当該ユーザ装置２００への下りリンクのデータ送信に使用するために選択することができる。つまり、もし所要個別数ＮＳ１ＩＲＢが２ならば、第１番目から第２番目までの良好なＰＦメトリックに対応するリソースブロックＲＢを、下りリンクリソーススケジューラ１３２はそのユーザ装置２００のために選択することができる。このように良好なＰＦメトリックに対応するリソースブロックＲＢを選択することにより、高いスループットで下りリンクのデータ送信を実行することができる。
【００７１】
もしも同じリソースブロックが複数のユーザ装置２００のために一旦選択された場合には、そのリソースブロックに関してより良好なＰＦメトリックを有するユーザ装置２００に、下りリンクリソーススケジューラ１３２はそのリソースブロックを割り当てる。このようにして複数のユーザ装置２００に同じリソースブロックＲＢが割り当てられることが回避される。但し、所要総数ＮＳ１ＴＲＢを越える数のリソースブロックＲＢを先頭の時間スロットＳ１で使用してはならないので、複数のユーザ装置２００に割り当てられるリソースブロックＲＢの数の合計は所要総数ＮＳ１ＴＲＢ以下に制限される。
【００７２】
以上のように個々のユーザ装置２００へのリソースブロックＲＢの割り当てが行われるので、複数のユーザ装置２００への下りリンクのデータ送信のためのリソースブロックＲＢの決定は必ずしも実行しなくてもよい。複数のユーザ装置２００への下りリンクのデータ送信のためのリソースブロックＲＢを決定した後に、さらに個々のユーザ装置２００へのリソースブロックＲＢの割り当てを行う場合には、複数のユーザ装置２００への下りリンクのデータ送信に使用すると決定されたリソースブロックＲＢだけのＰＦメトリックに基づいて、個々のユーザ装置２００へのリソースブロックＲＢの割り当てを実行してもよい。
【００７３】
複数のユーザ装置２００への下りリンクのデータ送信のためのリソースブロックＲＢの決定、および個々のユーザ装置２００へのリソースブロックＲＢの割り当ての便宜のために、基地局装置１００が下りリンクのデータ送信に使用可能な複数のリソースブロックＲＢは、各リソースグループが複数のリソースブロックＲＢを有するようにあらかじめ複数のリソースグループにグループ化されていてもよい。例えば、図５において、リソースブロックＲＢは、便宜的に模様によって区別されるように、複数のリソースグループにグループ化されている。図５の例では、周波数が隣り合う２つのリソースブロックＲＢが同じリソースグループに属する。
【００７４】
複数のユーザ装置２００への下りリンクのデータ送信のためのリソースブロックＲＢの決定においては、当該基地局装置１００に接続されている複数のユーザ装置２００の各々について、かつ複数のリソースグループの各々について計算された複数の過去の下りリンクのＰＦメトリックに基づいて、過去の下りリンクのＰＦメトリックがより大きく、所要総数ＮＳ１ＴＲＢ以下の数のリソースブロックＲＢを持つことになるリソースグループを、下りリンクリソーススケジューラ１３２は、先頭の時間スロットＳ１での複数のユーザ装置２００への下りリンクのデータ送信に使用するために選択することができる。リソースグループについてのＰＦメトリックとは、例えば、そのリソースグループを構成するリソースブロックＲＢのＰＦメトリックの平均値でよい。
【００７５】
例えば、所要総数ＮＳ１ＴＲＢが４であるならば、第１番目から第２番目までの良好なＰＦメトリックに対応するリソースグループに属する４つのリソースブロックＲＢを、下りリンクリソーススケジューラ１３２は複数のユーザ装置２００のために選択することができる。所要総数ＮＳ１ＴＲＢが５であるならば、第１番目から第２番目までの良好なＰＦメトリックに対応するリソースグループに属する４つのリソースブロックＲＢを、下りリンクリソーススケジューラ１３２はまず選択し、第３番目に良好なＰＦメトリックに対応するリソースグループに属する２つのリソースブロックＲＢのうち１つのリソースブロックＲＢを、下りリンクリソーススケジューラ１３２は次に選択することができる。
【００７６】
このように良好なＰＦメトリックに対応するリソースグループに属するリソースブロックＲＢを選択することにより、高いスループットで下りリンクのデータ送信を実行することができる。
【００７７】
個々のユーザ装置２００へのリソースブロックＲＢの割り当てにおいては、当該ユーザ装置２００について、かつ複数のリソースグループの各々について計算された複数の過去の下りリンクのＰＦメトリックに基づいて、過去の下りリンクのＰＦメトリックがより大きく、所要個別数ＮＳ１ＩＲＢ以下の数のリソースブロックＲＢを持つことになるリソースグループを、下りリンクリソーススケジューラ１３２は、先頭の時間スロットＳ１での当該ユーザ装置２００への下りリンクのデータ送信に使用するために選択することができる。もし所要個別数ＮＳ１ＩＲＢが２ならば、第１番目の良好なＰＦメトリックに対応するリソースグループに属する２つのリソースブロックＲＢを、下りリンクリソーススケジューラ１３２はそのユーザ装置２００のために選択することができる。もし所要個別数ＮＳ１ＩＲＢが３ならば、第１番目の良好なＰＦメトリックに対応するリソースグループに属する２つのリソースブロックＲＢを、下りリンクリソーススケジューラ１３２はまず選択し、第３番目に良好なＰＦメトリックに対応するリソースグループに属する２つのリソースブロックＲＢのうち１つのリソースブロックＲＢを、下りリンクリソーススケジューラ１３２は次に選択することができる。
【００７８】
このように良好なＰＦメトリックに対応するリソースグループに属するリソースブロックＲＢを選択することにより、高いスループットで下りリンクのデータ送信を実行することができる。もしも同じリソースブロックが複数のユーザ装置２００のために一旦選択された場合には、そのリソースブロックに関してより良好なＰＦメトリックを有するユーザ装置２００に、下りリンクリソーススケジューラ１３２はそのリソースブロックを割り当てる。
【００７９】
個々のユーザ装置２００へのリソースブロックＲＢの割り当てが行われるので、複数のユーザ装置２００への下りリンクのデータ送信のためのリソースブロックＲＢの決定は必ずしも実行しなくてもよい。複数のユーザ装置２００への下りリンクのデータ送信のためのリソースブロックＲＢを決定した後に、さらに個々のユーザ装置２００へのリソースブロックＲＢの割り当てを行う場合には、複数のユーザ装置２００への下りリンクのデータ送信に使用すると決定されたリソースブロックＲＢが属するリソースグループだけのＰＦメトリックに基づいて、個々のユーザ装置２００へのリソースブロックＲＢの割り当てを実行してもよい。
【００８０】
この実施の形態においては、各スロットグループでの先頭の時間スロットＳ１で複数のユーザ装置２００への下りリンクのデータ送信に使用した複数のリソースブロックＲＢの中から、後続の時間スロットで複数のユーザ装置２００への下りリンクのデータ送信に使用するべき複数のリソースブロックＲＢを下りリンクリソーススケジューラ１３２が選択する。したがって、上記のように先頭の時間スロットＳ１のために選択されたリソースブロックＲＢの範囲内で、スロットグループの後続の時間スロットでのリソースブロックＲＢが選択される。
【００８１】
上記の通り、各基地局装置１００において、各ユーザ装置２００に対する下りリンクのデータ送信に使用されるＭＣＳはＭＣＳ決定部１３４により決定される。ＭＣＳ決定部１３４は、スロットグループの各々における先頭の時間スロットＳ１での、各ユーザ装置２００への下りリンクのデータ送信に使用されるＭＣＳを以下の方式に従って決定することが好ましい。
【００８２】
ＭＣＳ決定部１３４は、スロットグループの各々での最初のいくつかの時間スロット（例えば時間スロットＳ１〜Ｓ４）では、過去の下りリンクのチャネル品質に適するＭＣＳよりも送信効率が低いＭＣＳを決定することができる。スロットグループの各々での最後のいくつかの時間スロット（例えば時間スロットＳ５〜Ｓ１０）では、ＭＣＳ決定部１３４は、下りリンクのチャネル品質に適するＭＣＳを決定することができる。
【００８３】
ユーザ装置２００から下りリンクチャネル品質情報としてＣＱＩ（図４参照）がフィードバックされる場合、最後のいくつかの時間スロットでは、ＭＣＳ決定部１３４は、ユーザ装置２００から受信されたＣＱＩのＣＱＩインデックスに対応するＭＣＳを、そのユーザ装置２００への下りリンクのデータ送信に使用すると決定する。例えば、ユーザ装置２００から受信された過去のＣＱＩのＣＱＩインデックスが６であれば、ＣＱＩインデックス６に対応する変調方式および符号化率をＭＣＳ決定部１３４は選択する。
【００８４】
他方、最初のいくつかの時間スロットでは、ＭＣＳ決定部１３４は、ユーザ装置２００から受信された過去のＣＱＩのＣＱＩインデックスに対応するＭＣＳよりも送信効率が低いＭＣＳをそのユーザ装置２００への下りリンクのデータ送信に使用すると決定する。例えば、ユーザ装置２００から受信されたＣＱＩのＣＱＩインデックスが６であれば、より送信効率が低いＣＱＩインデックス１〜５のいずれかに対応する変調方式および符号化率をＭＣＳ決定部１３４は選択する。図４から明らかなように、ＭＣＳの送信効率が低いことは、変調多値数（modulation level）と符号化率（code rate）の少なくとも一方が小さく、そのためにユーザ装置３００で受信されるデータの誤り率を低減できることを意味する。上述したように、ユーザ装置２００でのチャネル品質の測定時点と下りリンクのリソーススケジューリングの時点ではタイムラグがあるので、ユーザ装置２００から受信されたＣＱＩは、過去の下りリンクのチャネル品質に対応する。
【００８５】
この実施の形態においては、上記の通り、先頭の時間スロットＳ１で複数のユーザ装置２００への下りリンクのデータ送信に使用するリソースブロックＲＢの所要総数ＮＳ１ＴＲＢが決定される。したがって、先頭の時間スロットＳ１では、必ずしもすべてのユーザ装置２００に適切な品質をもたらすリソースブロックＲＢの割り当てが行われるとは限らない。そこで、先頭の時間スロットＳ１については、ユーザ装置２００での受信誤り率を低減することができるように、ＭＣＳ決定部１３４は、過去の下りリンクのチャネル品質に適するＭＣＳよりも送信効率が低いＭＣＳを決定する。
【００８６】
他方、この実施の形態では、各基地局装置１００は、スロットグループの各々において、先頭の時間スロットＳ１で使用した下りリンクのデータ送信のためのリソースブロックＲＢ以外のリソースブロックＲＢを後続の時間スロットＳ２〜Ｓ１０では下りリンクのデータ送信に使用しない。したがって、各スロットグループの範囲内で後続の時間スロットＳ２〜Ｓ１０では、セル間干渉が安定化され、ひいてはチャネル品質の変動が抑制される。そこで、各スロットグループでの最後のいくつかの時間スロットでは、ＭＣＳ決定部１３４は、下りリンクのチャネル品質に適するＭＣＳを決定してよい。
【００８７】
しかし、上述したように、ユーザ装置２００でのチャネル品質の測定時点と下りリンクのリソーススケジューリングの時点ではタイムラグがあるので、先頭の時間スロットＳ１での下りリンクのチャネル品質に必ず適するＭＣＳを次の時間スロットＳ２で選択することはできない。そこで、ＭＣＳ決定部１３４は、各スロットグループでの先頭の時間スロットＳ１を含む最初のいくつかの時間スロット（例えば時間スロットＳ１〜Ｓ４）では、過去の下りリンクのチャネル品質に適するＭＣＳよりも送信効率が低いＭＣＳを決定し、他の時間スロット（例えば時間スロットＳ５〜Ｓ１０）では、下りリンクのチャネル品質に適するＭＣＳを決定する。
【００８８】
最初のいくつかの時間スロットで、送信効率を低減する程度は、以下のように定めることができる。基地局装置１００は、無線通信部１１０を介して、当該基地局装置１００に接続されている複数のユーザ装置２００から、そのユーザ装置２００に与えられる干渉量を示す情報（例えば干渉および雑音電力を示す情報）を受信する。ＭＣＳ決定部１３４は、直前のスロットグループでの各ユーザ装置２００での干渉量の変化（例えば干渉および雑音電力の変化）に基づいて、直前のスロットグループでのユーザ装置２００での干渉量が減少する傾向にある場合には、送信効率を低減する程度を小さくし、他の場合には、送信効率を低減する程度を大きくするように、現在のスロットグループの先頭の時間スロットＳ１でのＭＣＳを決定する。
【００８９】
例えば、ユーザ装置２００から受信されたＣＱＩのＣＱＩインデックスが６であると想定する。直前のスロットグループでのユーザ装置２００での干渉量が減少する傾向にある場合には、隣接する基地局装置１００での時間スロットあたりの使用されているリソースブロックＲＢが減少しており、そのユーザ装置２００での受信チャネル品質がよくなる傾向にあることを意味する。送信効率を顕著に低減する必要はない。したがって、ＣＱＩインデックス６に対応する送信効率に近い送信効率を有するＣＱＩインデックス５に対応する変調方式および符号化率をＭＣＳ決定部１３４は選択する。
【００９０】
直前のスロットグループでのユーザ装置２００での干渉量が一定である場合には、隣接する基地局装置１００での時間スロットあたりの使用されているリソースブロックＲＢがあまり変化せず、そのユーザ装置２００での受信チャネル品質が継続する傾向にあることを意味する。送信効率をより低減する必要がある。したがって、ＣＱＩインデックス６に対応する送信効率より低い送信効率を有するＣＱＩインデックス４に対応する変調方式および符号化率をＭＣＳ決定部１３４は選択する。
【００９１】
直前のスロットグループでのユーザ装置２００での干渉量が増加する傾向にある場合には、隣接する基地局装置１００での時間スロットあたりの使用されているリソースブロックＲＢが増加しており、そのユーザ装置２００での受信チャネル品質が悪くなる傾向にあることを意味する（但し、この実施の形態では、使用されるリソースブロックＲＢの数の上限があるので、スロットグループの長さが短い場合には、この事態はあまり考えられない）。この場合、送信効率を顕著に低減する必要がある。したがって、ＣＱＩインデックス６に対応する送信効率により顕著に低い送信効率を有するＣＱＩインデックス３に対応する変調方式および符号化率をＭＣＳ決定部１３４は選択する。
【００９２】
送信効率を低減する程度は、上記の一例には限定されない。干渉量の変化量に対する具体的なＭＣＳは、例えば、あらかじめテーブルに記録してよい。テーブルは、例えば、図示しないＲＯＭに格納することができる。
【００９３】
ユーザ装置２００から下りリンクチャネル品質情報としてＣＱＩではなく、ＳＩＮＲを直接的に示す情報がフィードバックされる場合、ＭＣＳ決定部１３４は、ＳＩＮＲからＣＱＩインデックスに相当する指標を決定する。そして、上記と同様に、ＭＣＳ決定部１３４は、各スロットグループでの先頭の時間スロットＳ１を含む最初のいくつかの時間スロット（例えば時間スロットＳ１〜Ｓ４）では、過去の下りリンクのチャネル品質に適するＭＣＳよりも送信効率が低いＭＣＳを決定し、他の時間スロット（例えば時間スロットＳ５〜Ｓ１０）では、下りリンクのチャネル品質に適するＭＣＳを決定する。また、ＭＣＳ決定部１３４は、直前のスロットグループでの各ユーザ装置２００での干渉量の変化に基づいて、上記と同様に、現在のスロットグループの先頭の時間スロットＳ１でのＭＣＳを決定する。
【００９４】
次に、この実施の形態に係るユーザ装置２００を説明する。図６は、第１の実施の形態に係るユーザ装置２００を示すブロック図である。各ユーザ装置２００は、無線通信部（送信部、受信部）２１０、送受信アンテナ２１２および制御部２２０を備える。
【００９５】
無線通信部２１０は、基地局装置１００と無線通信を実行するための要素であり、基地局装置１００から電波を受信して電気信号に変換するためのＯＦＤＭＡに適用される受信回路（図示せず）と、基地局装置１００に送信されるべき電気信号を電波に変換して送信するためのＳＣ−ＦＤＭＡに適用される送信回路（図示せず）とを備える。
【００９６】
制御部２２０は、データ信号処理部２２２、参照信号ベクトル測定部２２４、チャネル推定値計算部２２６、所望データ信号電力推定部（所望信号電力推定部）２２８、全受信電力推定部２３０、干渉および雑音電力推定部２３２、信号対干渉雑音比（ＳＩＮＲ）計算部２３４、チャネル状態情報判定部２３６および送信信号生成部２３８を備える。制御部２２０は例えばＣＰＵである。データ信号処理部２２２、参照信号ベクトル測定部２２４、チャネル推定値計算部２２６、所望データ信号電力推定部２２８、全受信電力推定部２３０、干渉および雑音電力推定部２３２、ＳＩＮＲ計算部２３４、チャネル状態情報判定部２３６および送信信号生成部２３８は、ＣＰＵが図示しないＲＯＭに記憶されたコンピュータプログラムを実行し、そのコンピュータプログラムに従って機能することにより実現される機能ブロックである。
【００９７】
データ信号処理部２２２は、無線通信部２１０から出力される受信信号のうち、所望の基地局装置１００から当該ユーザ装置２００宛てのデータ信号を他の信号から分離する。
【００９８】
参照信号ベクトル測定部２２４は、所望の基地局装置１００から送信される参照信号のベクトルである参照信号ベクトルを測定する。上記の通り、参照信号は、セル固有参照信号（CRS）またはチャネル状態情報参照信号（CSI-RS）である。
【００９９】
チャネル推定値計算部２２６は、参照信号ベクトル測定部２２４で測定された参照信号ベクトルに基づいて、所望の基地局装置１００から当該ユーザ装置２００への受信信号のチャネル推定値を計算する。所望データ信号電力推定部２２８は、チャネル推定値計算部２２６で計算されたチャネル推定値に基づいて所望データ信号電力を推定する。所望データ信号電力は、チャネル推定値計算部２２６で計算されたチャネル推定値の振幅の二乗である。
【０１００】
全受信電力推定部２３０は、全受信電力（所望データ信号電力と干渉電力と雑音電力の合計）を推定する。全受信電力は、データ信号に対応する受信シンボルの振幅の二乗の平均値である。干渉および雑音電力推定部２３２は、全受信電力推定部２３０で推定された全受信電力から、所望データ信号電力推定部２２８で推定された所望データ信号を減算することにより、干渉および雑音電力（干渉電力と雑音電力の合計）を推定する。
【０１０１】
ＳＩＮＲ計算部２３４は、所望データ信号電力推定部２２８で推定された所望データ信号を、干渉および雑音電力推定部２３２で推定された干渉および雑音電力で除算することにより、ＳＩＮＲを計算する。このようなＳＩＮＲの計算は、当該基地局装置１００が下りリンクのデータ送信に使用可能な複数のリソースブロックＲＢの各々について行う。
【０１０２】
チャネル状態情報判定部２３６は、ＳＩＮＲ計算部２３４で計算されたＳＩＮＲから、チャネル状態情報（ＣＳＩ）を判定する。チャネル状態情報としては、チャネル品質インジケータ（CQI）、プリコーディング行列インジケータ（PMI）、ランクインジケータ（RI）のセットが知られている。チャネル状態情報判定部２３６は、公知の手法で、ＣＱＩ、ＰＭＩ、ＲＩを判定し、ＣＱＩ、ＰＭＩ、ＲＩを含むＣＳＩを示す信号を送信信号生成部２３８に渡す。
【０１０３】
送信信号生成部２３８は、無線通信部２１０および送受信アンテナ２１２によって、ＣＳＩを示す信号を所望基地局装置に送信すなわちフィードバックする。後述するように、送信信号生成部２３８は、無線通信部２１０および送受信アンテナ２１２によって、ＳＩＮＲ計算部２３４で計算されたＳＩＮＲを示す信号を所望基地局装置に送信すなわちフィードバックしてもよい。
【０１０４】
基地局装置１００は、チャネル品質の測定のための既知のパターンの参照信号を送信する。参照信号は、一般に基地局装置１００が送信すべきユーザデータの有無に関わらず所定のパターンで送信されるため、隣接する基地局装置１００が送信する参照信号に基づいて、ユーザ装置２００が干渉電力の推定を行うと、隣接する基地局装置１００がデータ信号を送信している場合でも送信していない場合でも、ユーザ装置２００は同じ干渉電力値を推定することになる。これでは、ＳＩＮＲを正確に計算することができない。そこで、この実施の形態では、全受信電力推定部２３０は、データ信号に対応する受信シンボルに基づいて、全受信電力を推定する。全受信電力推定部２３０は、所望の基地局装置１００から送信されたデータ信号に対応する受信シンボルから全受信電力を推定してもよいし、所望の基地局装置１００および隣接する基地局装置１００から送信されたデータ信号に対応する受信シンボルから全受信電力を推定してもよい。
【０１０５】
この実施の形態では、上述したように、各スロットグループでは、先頭の時間スロットＳ１でユーザ装置２００により測定されるＳＩＮＲが重要となりうる。そこで、基地局装置１００においては、無線通信部１１０が、各スロットグループの先頭の時間スロットＳ１では、後続の時間スロットＳ２〜Ｓ１０の各々での参照信号よりも多数の参照信号を送信すると好ましい。
【０１０６】
また、先頭スロットＳ１でのチャネル品質の推定に、判定帰還形チャネル推定（decision feedback channel estimation ）を使用してもよい。判定帰還形チャネル推定では、初めに参照信号よりチャネル推定を行ない、得られたチャネル推定値を用いてデータ信号の検出を行なう。次に検出されたデータ信号が正しいと仮定して、これらのデータ信号を再変調することにより得られる信号パターン（これは推定された送信信号パターンに相当する）を参照信号として、データ信号に対応する受信信号も使用して再度チャネル推定を行なう。また、この処理を複数回繰り返してもよい。これにより、実質的により多くの参照信号を使用してチャネル品質を推定できることからより高精度にチャネル推定ができることになる。このようにして得られたチャネル推定値を用いて、上記のチャネル品質推定を行なうことで、より高精度なチャネル品質推定を行なうことが可能である。また、ここで説明した判定帰還形チャネル推定方法は一例であり、類似の判定帰還形チャネル推定方法が用いられてもよい。
【０１０７】
ユーザ装置２００は、所望の基地局装置１００に、下りリンクチャネル品質情報を送信する。上記の通り、下りリンクチャネル品質情報は、ＳＩＮＲを直接的に示す情報であってもよいし、ＳＩＮＲからユーザ装置２００で決定されユーザ装置２００への送信に使用されるべきＭＣＳを示すＣＱＩであってもよい。下りリンクチャネル品質情報として、ＳＩＮＲを直接的に示す情報を送信する場合には、ユーザ装置２００はチャネル状態情報判定部２３６を有しなくてもよく、この場合には、ＳＩＮＲ計算部２３４が、基地局装置１００からの下りリンクのチャネル品質を推定し、チャネル品質に基づく下りリンクチャネル品質情報を生成する下りリンクチャネル品質推定部として機能する。下りリンクチャネル品質情報として、ＣＱＩを送信する場合には、ＳＩＮＲ計算部２３４とチャネル状態情報判定部２３６が、基地局装置１００からの下りリンクのチャネル品質を推定し、チャネル品質に基づく下りリンクチャネル品質情報を生成する下りリンクチャネル品質推定部として機能する。
【０１０８】
ユーザ装置２００において、ＳＩＮＲ計算部２３４は、各スロットグループでの先頭の時間スロットＳ１についてのみＳＩＮＲを計算し、後続の時間スロットＳ２〜Ｓ１０についてはＳＩＮＲを計算しなくてもよい。したがって、無線通信部２１０は、各スロットグループでの先頭の時間スロットＳ１についてのみ下りリンクチャネル品質情報（ＳＩＮＲを示す情報またはＣＱＩ）を送信し、後続の時間スロットＳ２〜Ｓ１０については下りリンクチャネル品質情報を送信しなくてもよい。
【０１０９】
この実施の形態では、各基地局装置１００は、スロットグループの各々において、先頭の時間スロットＳ１で使用した下りリンクのデータ送信のためのリソースブロックＲＢ以外のリソースブロックＲＢを後続の時間スロットＳ２〜Ｓ１０では下りリンクのデータ送信に使用しない。したがって、各スロットグループの範囲内で後続の時間スロットＳ２〜Ｓ１０では、セル間干渉が安定化され、ひいてはチャネル品質の変動が抑制される。後続の時間スロットＳ２〜Ｓ１０について下りリンクチャネル品質情報をユーザ装置２００が基地局装置１００に送信しなくても、基地局装置１００は、先頭の時間スロットＳ１での下りリンクチャネル品質情報に基づいて、後続のいくつかの時間スロット（タイムラグを考慮して例えば時間スロットＳ４〜Ｓ１０）について、複数のユーザ装置２００へのリソースブロックＲＢの割り当ておよびＭＣＳの決定を適切に行うことができる可能性がある。後続の時間スロットＳ２〜Ｓ１０についてＳＩＮＲを計算せず、下りリンクチャネル品質情報を送信しないことにより、ユーザ装置２００の処理負担を低減し、かつ上りリンクのトラフィック量を削減することができる。
【０１１０】
あるいは、ユーザ装置２００において、ＳＩＮＲ計算部２３４は、各スロットグループでの先頭の時間スロットＳ１については、基地局装置１００が下りリンクのデータ送信に使用可能なすべてのリソースブロックＲＢのＳＩＮＲを計算し、後続の時間スロットＳ２〜Ｓ１０については、先頭の時間スロットＳ１で下りリンクのデータ送信に使用した複数のリソースブロックＲＢのＳＩＮＲを計算してもよい。したがって、無線通信部２１０は、各スロットグループでの先頭の時間スロットＳ１についてのみは、すべてのリソースブロックＲＢの下りリンクチャネル品質情報（ＳＩＮＲを示す情報またはＣＱＩ）を送信し、後続の時間スロットＳ２〜Ｓ１０については先頭の時間スロットＳ１で下りリンクのデータ送信に使用した複数のリソースブロックＲＢの下りリンクチャネル品質情報を送信してもよい。これにより、基地局装置１００は、後続の時間スロット（タイムラグを考慮して例えばＳ４〜Ｓ１０）について、複数のユーザ装置２００へのリソースブロックＲＢの割り当ておよびＭＣＳの決定をより適切に行うことができる。後続の時間スロットＳ２〜Ｓ１０についてＳＩＮＲを計算するリソースブロックＲＢ（送信される下りリンクチャネル品質情報の対象であるリソースブロックＲＢ）を減らすことにより、ユーザ装置２００の処理負担を低減し、かつ上りリンクのトラフィック量を削減することができる。
【０１１１】
いずれの場合においても、各スロットグループでの最後のいくつかの時間スロット（例えば時間スロットＳ８〜Ｓ１０）については、ＳＩＮＲ計算部２３４は、ＳＩＮＲをまったく計算せず、無線通信部２１０は、下りリンクチャネル品質情報を送信しなくてもよい。上述したように、ユーザ装置２００でのチャネル品質の測定時点と下りリンクのリソーススケジューリングの時点ではタイムラグがあるので、直前のスロットグループでの最後のいくつかの時間スロットでのチャネル品質情報に基づいて、現在のスロットグループの先頭の時間スロットＳ１で、リソースブロックＲＢの割り当ておよびＭＣＳの決定は適切にできないからである。
【０１１２】
第２の実施の形態
次に、本発明の第２の実施の形態を説明する。第２の実施の形態において、基地局装置１００は第１の実施の形態のそれと同じでよい。図７は、本発明の第２の実施の形態に係るユーザ装置２００を示すブロック図である。
【０１１３】
図７に示すように、第２の実施の形態に係るユーザ装置２００においては、無線通信部２１０は、図６に示す構成要素に加えて、所望信号電力差分計算部２４０と干渉および雑音電力差分計算部２４２を備える。所望信号電力差分計算部２４０と干渉および雑音電力差分計算部２４２は、ＣＰＵが図示しないＲＯＭに記憶されたコンピュータプログラムを実行し、そのコンピュータプログラムに従って機能することにより実現される機能ブロックである。
【０１１４】
所望信号電力差分計算部２４０は、各スロットグループでの先頭の時間スロットＳ１での所望データ信号電力推定部２２８で推定された所望データ信号電力と、後続の時間スロットＳ２〜Ｓ１０の各々での所望データ信号電力推定部２２８で推定された所望信号電力の差分を計算する。干渉および雑音電力差分計算部２４２は、各スロットグループでの先頭の時間スロットＳ１での干渉および雑音電力推定部２３２で計算された干渉および雑音電力と、後続の時間スロットＳ２〜Ｓ１０の各々での干渉および雑音電力推定部２３２で計算された干渉および雑音電力の差分を計算する。
【０１１５】
ユーザ装置２００において、ＳＩＮＲ計算部２３４は、各スロットグループでの先頭の時間スロットＳ１についてのみＳＩＮＲを計算し、後続の時間スロットＳ２〜Ｓ１０についてはＳＩＮＲを計算しなくてもよい。したがって、無線通信部２１０は、各スロットグループでの先頭の時間スロットＳ１についてのみ下りリンクチャネル品質情報（ＳＩＮＲを示す情報またはＣＱＩ）を送信し、後続の時間スロットＳ２〜Ｓ１０については下りリンクチャネル品質情報を送信しなくてもよい。
【０１１６】
但し、後続の時間スロットＳ２〜Ｓ７の各々において、送信信号生成部２３８は、無線通信部２１０および送受信アンテナ２１２によって、各時間スロットでの所望信号電力の差分と、干渉および雑音電力の差分を示す信号を所望基地局装置１００に送信すなわちフィードバックする。
【０１１７】
基地局装置１００は、ユーザ装置２００からフィードバックされる先頭の時間スロットＳ１での下りリンクチャネル品質情報に基づいて、後続の時間スロット（タイムラグを考慮して例えば時間スロットＳ４）について、複数のユーザ装置２００へのリソースブロックＲＢの割り当ておよびＭＣＳの決定を行う。
【０１１８】
基地局装置１００は、ユーザ装置２００から送信される後続の時間スロットＳ２〜Ｓ７の各々での所望信号電力の差分と、干渉および雑音電力の差分に基づいて、先頭の時間スロットＳ１での下りリンクチャネル品質情報に演算処理を施すことにより、後続の時間スロットＳ２〜Ｓ７の各々での下りリンクチャネル品質情報を得ることが可能である。そして、基地局装置１００は、こうして得られた後続の時間スロットＳ２〜Ｓ７での下りリンクチャネル品質情報に基づいて、後続の時間スロット（タイムラグを考慮して例えば時間スロットＳ５〜Ｓ１０）について、複数のユーザ装置２００へのリソースブロックＲＢの割り当ておよびＭＣＳの決定を行う。
【０１１９】
各スロットグループでの最後のいくつかの時間スロット（例えば時間スロットＳ８〜Ｓ１０）については、ユーザ装置２００は所望信号電力の差分と干渉および雑音電力の差分をまったく計算せず、無線通信部２１０は、これらを示す情報を送信しなくてもよい。上述したように、ユーザ装置２００でのチャネル品質の測定時点と下りリンクのリソーススケジューリングの時点ではタイムラグがあるので、直前のスロットグループでの最後のいくつかの時間スロットでのチャネル品質情報に基づいて、現在のスロットグループの先頭の時間スロットＳ１で、リソースブロックＲＢの割り当ておよびＭＣＳの決定は適切にできないからである。
【０１２０】
第３の実施の形態
次に、本発明の第３の実施の形態を説明する。図８は、本発明の第３の実施の形態に係るユーザ装置２００を示すブロック図である。
【０１２１】
第１の実施の形態において、図３に示すように、ＰＦメトリック計算部１３６が基地局装置１００に設けられている。しかし、ＰＦメトリック計算部１３６はユーザ装置２００に設けてもよい。第３の実施の形態において、基地局装置１００は、第１の実施の形態のそれと基本的に同じであるが、ＰＦメトリック計算部１３６が設けられていない。
【０１２２】
図８に示すように、第３の実施の形態に係るユーザ装置２００においては、無線通信部２１０は、図６に示す構成要素に加えて、ＰＦメトリック計算部２４６を備える。ＰＦメトリック計算部２４６は、ＣＰＵが図示しないＲＯＭに記憶されたコンピュータプログラムを実行し、そのコンピュータプログラムに従って機能することにより実現される機能ブロックである。
【０１２３】
ＰＦメトリック計算部２４６は、ＳＩＮＲ計算部２３４またはチャネル状態情報判定部２３６で得られた下りリンクチャネル品質情報に基づいて、当該ユーザ装置２００について、かつ無線基地局装置１００が下りリンクのデータ送信に使用可能なすべてのリソースブロックＲＢの各々について、下りリンクのＰＦメトリックを計算する。ＰＦメトリックは、瞬時ＳＩＮＲを、過去のＳＩＮＲの平均値で割り算することで得ることができる。あるいは、ＰＦメトリックは、瞬時ＣＱＩインデックスを、過去のＣＱＩインデックスの平均値で割り算することで得ることができる。ＰＦメトリック計算部２４６は、得られたＰＦメトリックを送信信号生成部２３８に渡す。送信信号生成部２３８は、無線通信部２１０および送受信アンテナ２１２によって、下りリンクのＰＦメトリックを示す情報を所望基地局装置に送信する。
【０１２４】
第１の実施の形態と同様に、基地局装置１００の下りリンクリソーススケジューラ１３２は、ＰＦメトリックを参照し、プロポーショナル・フェアネス法に従って、各ユーザ装置２００にリソースブロックＲＢを割り当てる。特に、各スロットグループの先頭の時間スロットＳ１において、下りリンクリソーススケジューラ１３２は、ＰＦメトリックに基づいて、複数のユーザ装置２００への下りリンクのデータ送信のためのリソースブロックＲＢの決定および個々のユーザ装置２００へのリソースブロックＲＢの割り当てを実行することができる。
【０１２５】
ＰＦメトリック計算部２４６は、特定のいくつかのリソースブロックＲＢについて下りリンクのＰＦメトリックを計算してもよい。具体的には、ＰＦメトリック計算部２４６は、下りリンクのチャネル品質がより良好な（すなわちＳＩＮＲがより良好な）所定数のリソースブロックＲＢについてのみ、下りリンクのＰＦメトリックを計算してもよい。このように、ＰＦメトリックを計算するリソースブロックＲＢを制限することにより、ＰＦメトリックを計算するための処理負担が軽減される。また、計算されるＰＦメトリックの量が削減されるので、所望基地局装置に送信されるＰＦメトリックを示す情報の量が削減される。
【０１２６】
図５を参照して上述したように、基地局装置１００が下りリンクのデータ送信に使用可能な複数のリソースブロックＲＢは、各リソースグループが複数のリソースブロックＲＢを有するようにあらかじめ複数のリソースグループにグループ化されていてもよい。この場合、ＰＦメトリック計算部２４６は、各リソースグループについてのＰＦメトリックを計算してよい。リソースグループについてのＰＦメトリックとは、例えば、そのリソースグループを構成するリソースブロックＲＢのＰＦメトリックの平均値でよい。
【０１２７】
第１の実施の形態と同様に、基地局装置１００の下りリンクリソーススケジューラ１３２は、各スロットグループの先頭の時間スロットＳ１において、各リソースグループについてのＰＦメトリックに基づいて、複数のユーザ装置２００への下りリンクのデータ送信のためのリソースブロックＲＢの決定および個々のユーザ装置２００へのリソースブロックＲＢの割り当てを実行することができる。
【０１２８】
ＰＦメトリック計算部２４６は、特定のいくつかのリソースグループについて下りリンクのＰＦメトリックを計算してもよい。具体的には、ＰＦメトリック計算部２４６は、下りリンクのチャネル品質がより良好な（すなわちＳＩＮＲがより良好な）所定数のリソースグループについてのみ、下りリンクのＰＦメトリックを計算してもよい。このように、ＰＦメトリックを計算するリソースブロックＲＢを制限することにより、ＰＦメトリックを計算するための処理負担が軽減される。また、計算されるＰＦメトリックの量が削減されるので、所望基地局装置に送信されるＰＦメトリックを示す情報の量が削減される。
【０１２９】
第４の実施の形態
次に、本発明の第４の実施の形態を説明する。図９は、本発明の第４の実施の形態に係る基地局装置を示すブロック図である。第４の実施の形態において、基地局装置１００は、第１の実施の形態のそれと基本的に同じであるが、この実施の形態は、第１の実施の形態に対して、基地局装置１００での各スロットグループの先頭の時間スロットＳ１でのＭＣＳの決定方式が異なる。
【０１３０】
第１の実施の形態と同様に、ＭＣＳ決定部１３４は、各ユーザ装置２００からフィードバックされた下りリンクチャネル品質情報に基づいて、そのユーザ装置２００への下りリンクのデータ送信に使用されるべき変調方式および符号化方式を決定する。ＭＣＳ決定部１３４は、スロットグループの各々での最初のいくつかの時間スロット（例えば時間スロットＳ１〜Ｓ４）では、過去の下りリンクのチャネル品質に適するＭＣＳよりも送信効率が低いＭＣＳを決定することができる。スロットグループの各々での最後のいくつかの時間スロット（例えば時間スロットＳ５〜Ｓ１０）では、ＭＣＳ決定部１３４は、下りリンクのチャネル品質に適するＭＣＳを決定することができる。
【０１３１】
所要個別数決定部１４２は、スロットグループの各々での先頭の時間スロットＳ１での各ユーザ装置２００への下りリンクのデータ送信に使用するリソースブロックＲＢの所要個別数ＮＳ１ＩＲＢを決定する。第１の実施の形態と同様に、所要個別数決定部１４２は、過去の下りリンクのチャネル品質に基づいて、ＭＣＳ決定部１３４で決定されたユーザ装置２００への下りリンクのデータ送信に使用されるべき変調方式および符号化方式に対応する送信効率（図４参照）と、当該ユーザ装置２００へのデータトラフィック量に基づいて、先頭の時間スロットＳ１でのユーザ装置２００のための所要個別数ＮＳ１ＩＲＢを決定する。
【０１３２】
但し、所要個別数決定部１４２は、まず仮想所要個別数計算部として機能する。仮想所要個別数計算部としての所要個別数決定部１４２は、ＭＣＳ決定部１３４で決定されたＭＣＳを複数のユーザ装置２００の各々への下りリンクのデータ送信に使用すると仮定する場合に、各スロットグループにおける先頭の時間スロットＳ１での各ユーザ装置２００への下りリンクのデータ送信に使用するリソースブロックＲＢの所要個別数ＮＳ１ＩＲＢを計算する。
【０１３３】
所要個別数決定部（仮想所要個別数計算部）１４２で計算された各ユーザ装置２００のための所要個別数ＮＳ１ＩＲＢの合計が所要総数ＮＳ１ＴＲＢより小さい場合に、ＭＣＳ決定部１３４は、１つのユーザ装置２００について、各スロットグループでの先頭の時間スロットＳ１では、過去の下りリンクチャネル品質情報に基づいて既に決定されたＭＣＳよりも送信効率が低い新たなＭＣＳを決定する。具体的には、過去の下りリンクチャネル品質情報に基づいて、下りリンクのチャネル品質が最も劣悪な（すなわちＳＩＮＲが最も劣悪な）ユーザ装置２００をＭＣＳ決定部１３４は選択し、このユーザ装置２００について既に決定されたＭＣＳよりも送信効率が低い新たなＭＣＳを決定する。例えば図４に示すＣＱＩインデックス３に対するＭＣＳが既に決定されている場合、ＭＣＳ決定部１３４は、それより送信効率が低いＣＱＩインデックス２に対するＭＣＳを再決定する。
【０１３４】
所要個別数決定部（仮想所要個別数計算部）１４２は、このように決定されたＭＣＳに基づいて、再度、そのユーザ装置２００への下りリンクのデータ送信に使用するリソースブロックＲＢの所要個別数ＮＳ１ＩＲＢを計算して、所要個別数ＮＳ１ＩＲＢの合計を計算する。所要個別数ＮＳ１ＩＲＢの合計が所要総数ＮＳ１ＴＲＢより小さい場合に、ＭＣＳ決定部１３４は、下りリンクのチャネル品質が最も劣悪なユーザ装置２００について既に決定されたＭＣＳよりも送信効率が低い新たなＭＣＳを決定する。所要個別数ＮＳ１ＩＲＢの合計が所要総数ＮＳ１ＴＲＢに達するまで、所要個別数決定部１４２による所要個別数ＮＳ１ＩＲＢの再計算と、ＭＣＳ決定部１３４によるＭＣＳの再決定が繰り返される。所要個別数ＮＳ１ＩＲＢの合計が所要総数ＮＳ１ＴＲＢと等しくなったら、ＭＣＳ決定部１３４は各ユーザ装置２００のためのＭＣＳを確定し、所要個別数決定部１４２は各ユーザ装置２００のための所要個別数ＮＳ１ＩＲＢを確定する。
【０１３５】
したがって、この実施の形態では、所要総数決定部１３８が決定した先頭の時間スロットＳ１での所要総数ＮＳ１ＴＲＢの分のリソースブロックＲＢをすべて使用して、複数のユーザ装置２００に下りリンクのデータ送信を行うことができる。しかも、下りリンクのチャネル品質が劣悪なユーザ装置２００について既に決定されたＭＣＳよりも送信効率が低いＭＣＳを再決定することにより、そのようなユーザ装置２００については、より受信データの誤り率を低減することが可能である。
【０１３６】
新たなＭＣＳを決定しようとするユーザ装置２００について送信効率が最低のＭＣＳがＭＣＳ決定部１３４で既に決定されている場合（すなわち、図４に示すＣＱＩインデックス１に対するＭＣＳが既に決定されている場合には）、ＭＣＳ決定部１３４は、それより送信効率が低いＭＣＳを再決定することはできない。所要個別数決定部（仮想所要個別数計算部）１４２で計算された各ユーザ装置２００のための所要個別数ＮＳ１ＩＲＢの合計が所要総数ＮＳ１ＴＲＢより小さい場合であっても、送信効率が最低のＭＣＳが新たなＭＣＳを決定しようとするユーザ装置２００について既に決定されている場合には、所要個別数決定部（仮想所要個別数計算部）１４２で計算されたそのユーザ装置２００のための所要個別数ＮＳ１ＩＲＢより多い数のリソースブロックＲＢを、下りリンクリソーススケジューラ１３２は、先頭の時間スロットＳ１での当該ユーザ装置２００への下りリンクのデータ送信に使用するために選択し、そのユーザ装置２００宛の同じデータを別個のリソースブロックＲＢで送信するのが好ましい。
【０１３７】
このようにして、所要総数決定部１３８が決定した先頭の時間スロットＳ１での所要総数ＮＳ１ＴＲＢの分のリソースブロックＲＢをすべて使用して、複数のユーザ装置２００に下りリンクのデータ送信を行うことができる。しかも、下りリンクのチャネル品質が劣悪なユーザ装置２００に割り当てるリソースブロックＲＢの数を増加させ、そのユーザ装置２００宛の同じデータを異なるリソースブロックＲＢで送信することにより、そのようなユーザ装置２００については、より受信データの誤り率を低減することが可能である。
【０１３８】
また、仮に、先頭の時間スロットＳ１で送信すべき所要個別数ＮＳ１ＩＲＢの合計が所要総数ＮＳ１ＴＲＢに到達しない場合には、基地局装置１００は、ダミーデータを送信して、所要総数ＮＳ１ＴＲＢの分のリソースブロックＲＢをすべて使用してもよい。
【０１３９】
第５の実施の形態
図２を参照して上述したスロットグループのグループ化によれば、各スロットグループを構成する複数の時間スロットは時間的に連続している。このため、下記のような問題が生じうる。
【０１４０】
各ユーザ装置２００が各スロットグループの先頭の時間スロットＳ１でＳＩＮＲを測定して、そのユーザ装置２００が接続されている基地局装置１００に下りリンクチャネル品質情報をフィードバックしても、基地局装置１００がフィードバックされた下りリンクチャネル品質情報に基づいて、ＭＣＳを決定したり、ユーザスケジューリングを実行したりすることができるまでにはタイムラグがある。例えば、各スロットグループにおいて、先頭の時間スロットＳ１の後の時間スロットＳ２，Ｓ３，Ｓ４では、先頭の時間スロットＳ１でのＳＩＮＲに基づいて、ＭＣＳの決定およびユーザスケジューリングはできない。先頭の時間スロットＳ１でのＳＩＮＲに基づいて、ＭＣＳの決定およびユーザスケジューリングができるのは、時間スロットＳ５〜Ｓ１０である。
【０１４１】
タイムラグの長さは、各時間スロットの長さ、ならびにユーザ装置２００と基地局装置１００の処理性能に依存する。しかし、せっかくユーザ装置２００がＳＩＮＲを測定しても、それをＭＣＳの決定およびユーザスケジューリングに使用できない時間スロットがあるのでは、問題がある。
【０１４２】
そこで、第５の実施の形態は、下記のように不連続なスロットグループのグループ化を提供する。第５の実施の形態では、スロットグループの各々は、少なくとも３つの時間スロットを有しており、これらの少なくとも３つの時間スロットは先頭の時間スロットＳ１と、途中の時間スロットと、最終の時間スロットとを有しており、各スロットグループの先頭の時間スロットと途中の時間スロットとの間に、直前のスロットグループの少なくとも１つの時間スロットが配置され、各スロットグループの途中の時間スロットと最終の時間スロットとの間に、次のスロットグループの少なくとも１つの時間スロットが配置されている。
【０１４３】
例えば、図１０に示す例においては、スロットグループＳＧ１，ＳＧ２，Ｇ３，ＳＧ４の各々は、１０の時間スロットＳ１〜Ｓ１０を有する。図１０に示すように、スロットグループＳＧ２の先頭の時間スロットＳ１と途中の時間スロットＳ２〜Ｓ７との間に、直前のスロットグループＳＧ１の最終の３つの時間スロットＳ８〜Ｓ１０が配置され、スロットグループＳＧ２の途中の時間スロットＳ２〜Ｓ７と最終の３つの時間スロットＳ１０との間に、次のスロットグループＳＧ３の先頭の時間スロットＳ１が配置されている。スロットグループＳＧ３の先頭の時間スロットＳ１と途中の時間スロットＳ２〜Ｓ７との間に、直前のスロットグループＳＧ２の最終の３つの時間スロットＳ８〜Ｓ１０が配置され、スロットグループＳＧ３の途中の時間スロットＳ２〜Ｓ７と最終の３つの時間スロットＳ１０との間に、次のスロットグループＳＧ４の先頭の時間スロットＳ１が配置されている。図１０から全体が明らかでないが、スロットグループＳＧ１，ＳＧ４も同様である。
【０１４４】
但し、不連続なスロットグループのグループ化は、図１０に示す形態に限られない。例えば、途中の時間スロットの数および最終の時間スロットの数は、各時間スロットの長さ、ならびにユーザ装置２００と基地局装置１００の処理性能に応じて、決定することができる。また、図１０においては、単一の先頭の時間スロットＳ１の直後に、直前のスロットグループの時間スロットが配置されているが、複数の時間スロットＳ１，Ｓ２の後に、直前のスロットグループの時間スロットが配置されてもよい（この場合、時間スロットＳ２では、先頭の時間スロットＳ１でのＳＩＮＲに基づいて、ＭＣＳの決定およびユーザスケジューリングはできない）。
【０１４５】
第５の実施の形態では、先頭の時間スロットＳ１でのＳＩＮＲに基づいて、ＭＣＳの決定およびユーザスケジューリングができない時間スロットを削減することができる。換言すれば、先頭の時間スロットＳ１でのＳＩＮＲに基づいて、スロットグループの多くの後続の時間スロットで、基地局装置１００は、ＭＣＳの決定およびユーザスケジューリングが可能である。
【０１４６】
第６の実施の形態
次に、本発明の第６の実施の形態を説明する。図１０は、本発明の第６の実施の形態に係る無線通信システムを示すブロック図である。第６の実施の形態において、無線通信システムは、図１に示す構成要素に加えて、スロットグループ長調整部３００を備える。
【０１４７】
スロットグループ長調整部３００は、基地局装置１００に接続されており、これらの基地局装置１００で適用されるスロットグループの長さを調整する。つまり、スロットグループ長調整部３００は、複数のスロットグループの各々を構成する時間スロットの数を調整する。
【０１４８】
スロットグループ長調整部３００は、無線通信システムのすべての基地局装置１００に接続されて、すべての基地局装置１００で適用されるスロットグループの長さを調整してもよい。あるいは、スロットグループ長調整部３００は、ある特定のエリアにあるスロットグループを共有する基地局装置１００に接続されて、それらの基地局装置１００で適用されるスロットグループの長さを調整してもよい。
【０１４９】
少なくともあるエリアで動作するすべての基地局装置では、スロットグループ内の時間スロットの数が同じである必要があることから、スロットグループ内の時間スロットの数は、ネットワーク内のスロットグループ長調整部３００で集中的に管理する。
【０１５０】
本発明においては、各スロットグループにおいて、先頭の時間スロットＳ１で使用した下りリンクのデータ送信のためのリソースブロックＲＢ以外のリソースブロックＲＢを後続の時間スロットでは下りリンクのデータ送信に使用しない。したがって、スロットグループ内の時間スロットの数が多い場合には、各ユーザ装置２００に与えられる干渉量が長期にわたり安定しやすくなるが、ある基地局装置１００で下りリンクのトラフィック量が変化すれば、その基地局装置１００では、送信遅延が発生しやすく、その基地局装置１００に接続されるユーザ装置２００はＳＩＮＲを過小に推定しやすい。他方、スロットグループ内の時間スロットの数が少ない場合には、各ユーザ装置２００に与えられる干渉量が安定している期間が短いが、ある基地局装置１００で下りリンクのトラフィック量が変化しても、その基地局装置１００は、下りリンクのトラフィック量に追随して短周期でスケジューリングが行えるため、送信遅延が発生しにくく、その基地局装置１００に接続されるユーザ装置２００はＳＩＮＲを精度よく推定しやすい。
【０１５１】
以上のように、スロットグループ内の時間スロットの数が多い場合も少ない場合も長所および短所がある。そこで、スロットグループ長調整部３００は、下りリンクのデータ送信の誤りまたは下りリンクのデータ送信の遅延を示す指標に基づいて、各スロットグループを構成する時間スロットの数を調整する。下りリンクのデータ送信の誤りまたは下りリンクのデータ送信の遅延を示す指標は、各基地局装置１００から報告される。このような指標は、例えば、下りリンクのデータ送信の再送確率であってもよい。このような指標を決定するため、各基地局装置１００は、ユーザ装置２００からの再送要求の数、ユーザ装置２００でのデータの誤り率を示す情報、ユーザ装置２００でのデータ送信の受信時刻を示す情報の少なくともいずれかを使用することができる。
【０１５２】
各スロットグループを構成する時間スロットの数を更新すると、スロットグループ長調整部３００は、更新されたその数およびそれを適用する時期を複数の基地局装置１００に通知する。したがって、基地局装置１００は、新たなスロットグループの始期と終期を共有する。また、各基地局装置１００の無線通信部１１０は、更新されたその数を示す信号およびそれを適用する時期を当該基地局装置１００に接続される複数のユーザ装置２００へ送信する。したがって、ユーザ装置２００は、新たなスロットグループの始期と終期を知ることができる。
【０１５３】
この実施の形態において、スロットグループ長調整部３００は、各基地局装置１００から離れた位置に配置されているが、ある基地局装置１００にスロットグループ長調整部３００を設けてもよい。
【０１５４】
第７の実施の形態
次に、本発明の第７の実施の形態を説明する。図１２は、本発明の第７の実施の形態に係る基地局装置を示すブロック図である。第４の実施の形態において、基地局装置１００の制御部１３０は、図３に示す構成に加えて、干渉および雑音電力推定部１５０および上りリンクリソーススケジューラ１５２を備える。干渉および雑音電力推定部１５０および上りリンクリソーススケジューラ１５２は、ＣＰＵが図示しないＲＯＭに記憶されたコンピュータプログラムを実行し、そのコンピュータプログラムに従って機能することにより実現される機能ブロックである。
【０１５５】
干渉および雑音電力推定部１５０は、基地局装置１００に接続されている複数のユーザ装置２００の各々から受信される上りリンクのデータ信号の複数のリソースブロックＲＢごとに干渉および雑音電力を推定する。上りリンクリソーススケジューラ１５２は、干渉および雑音電力推定部１５０で推定された干渉および雑音電力に基づいて、上りリンクのリソーススケジューリングを実行する。具体的には、基地局装置１００に接続されている複数のユーザ装置２００に上りリンクのリソースブロックＲＢをそれぞれ割り当てる。上りリンクリソーススケジューラ１５２は、無線通信部１１０を用いて、上りリンクのリソーススケジューリング情報をユーザ装置２００に送信する。
【０１５６】
ユーザ装置２００は、基地局装置１００から送信された上りリンクのリソーススケジューリング情報に示されたユーザ装置２００自身の上りリンクのリソーススケジューリング情報に従って、リソースブロックＲＢを使用してデータ信号を基地局装置１００に送信する。
【０１５７】
上りリンクの無線リソースは、図２または図１０を参照して上述した下りリンクの無線リソースと同様である。下りリンクの無線リソースと同様に、上りリンクの無線リソースについても、時間スロットは、複数のスロットグループにグループ化されている。複数のスロットグループの各々は複数の所定数の時間スロットを有する。
【０１５８】
下りリンクだけでなく上りリンクについても、この無線通信システムにおいては、すべての基地局装置１００が、各スロットグループの始期と終期、各スロットの始期と終期を共有している。また、各スロットグループを構成するスロットの数も、すべての基地局装置１００が共有している。但し、無線通信システムのすべての基地局装置１００がこれらを共有しなくてもよく、少なくともある特定のエリアにある基地局装置１００がこれらを共有していてもよい。
【０１５９】
各基地局装置１００は、スロットグループの各々において先頭の時間スロットＳ１で複数のユーザ装置２００が上りリンクのデータ送信に使用した複数のリソースブロックＲＢを記憶し、後続の時間スロット（先頭の時間スロットＳ１を除く複数の時間スロット）においては、先頭の時間スロットＳ１で複数のユーザ装置２００が上りリンクのデータ送信に使用した複数のリソースブロックＲＢの中から、複数のユーザ装置２００が上りリンクのデータ送信に使用するべき複数のリソースブロックＲＢを選択する。つまり、各基地局装置１００は、スロットグループの各々において、先頭の時間スロットＳ１で上りリンクのデータ送信に使用したリソースブロックＲＢ以外のリソースブロックＲＢを後続の時間スロットでは上りリンクのデータ送信に使用しない。
【０１６０】
上りリンクリソーススケジューラ１５２は、各スロットグループでの先頭の時間スロットＳ１で上りリンクのリソーススケジューリングを実行すると、その先頭の時間スロットＳ１で複数のユーザ装置２００に上りリンクのデータ送信のために割り当てた複数のリソースブロックＲＢを示す情報を記憶部１２２に記憶する。上りリンクリソーススケジューラ１５２は、記憶部１２２の記憶を参照し、各スロットグループでの後続の時間スロット（先頭の時間スロットＳ１を除く複数の時間スロット）においては、先頭の時間スロットＳ１で複数のユーザ装置２００のための上りリンクのデータ送信のために割り当てた複数のリソースブロックＲＢの中から、複数のユーザ装置２００のための上りリンクのデータ送信に使用するべき複数のリソースブロックを選択する。つまり、各基地局装置１００は、スロットグループの各々において、先頭の時間スロットＳ１でユーザ装置２００に割り当てた上りリンクのデータ送信のためのリソースブロックＲＢ以外のリソースブロックＲＢを後続の時間スロットでは上りリンクのデータ送信のためにユーザ装置２００に割り当てない。
【０１６１】
したがって、複数のユーザ装置２００は全体として、各スロットグループでの後続の時間スロットにおいては、上りリンクリソーススケジューラ１５０でそのように割り当てられたリソースブロックＲＢのみを使用して上りリンクのデータ送信を実行する。いずれの基地局装置１００についても、各スロットグループの範囲内で、複数のユーザ装置２００は全体として、ほぼ一定のリソースブロックＲＢだけを上りリンクのデータ送信に使用する。後続の時間スロットで使用されるリソースブロックＲＢが先頭の時間スロットＳ１で使用されたリソースブロックＲＢより減ることはあっても、増えることはない。したがって、各スロットグループの範囲内で、上りリンクのセル間干渉が安定化され、ひいてはチャネル品質の変動が抑制される。
【０１６２】
また、上りリンクリソーススケジューラ１５２は、各スロットグループでの先頭の時間スロットＳ１で上りリンクのリソーススケジューリングを実行すると、その先頭の時間スロットＳ１で複数のユーザ装置２００ごとに、上りリンクのデータ送信のために割り当てたリソースブロックＲＢを示す情報を記憶部１２２に記憶する。上りリンクリソーススケジューラ１５２は、記憶部１２２の記憶を参照し、スロットグループの各々での後続の時間スロットについて、先頭の時間スロットＳ１で各ユーザ装置２００に上りリンクのデータ送信のために割り当てたリソースブロックＲＢのみをそのユーザ装置２００の上りリンクのデータ送信に割り当てる。また、上りリンクリソーススケジューラ１５２は、先頭の時間スロットＳ１で上りリンクのデータ送信のためにリソースブロックＲＢを割り当てなかったユーザ装置２００にはリソースブロックＲＢを割り当てない。
【０１６３】
したがって、各ユーザ装置２００は、各スロットグループの範囲内で、ほぼ一定のリソースブロックＲＢだけを上りリンクのデータ送信に使用する。後続の時間スロットで同じユーザ装置２００に使用されるリソースブロックＲＢが先頭の時間スロットＳ１で使用されたリソースブロックＲＢより減ることはあっても、増えることはない。したがって、各スロットグループの範囲内で、上りリンクのセル間干渉がさらに安定化され、ひいてはチャネル品質の変動が抑制される。
【０１６４】
基地局装置１００の制御部１３０は、当該基地局装置１００での過去の上りリンクのデータトラフィック量（この基地局装置１００に接続される複数のユーザ装置２００からの）、またはこの基地局装置１００に接続される複数のユーザ装置２００に対して過去に上りリンクのデータ送信に割り当てたリソースブロックＲＢの数に基づいて、スロットグループの各々における先頭の時間スロットＳ１での上りリンクのデータ送信に使用するリソースブロックＲＢの所要総数を決定することができる。
【０１６５】
上りリンクリソーススケジューラ１５２は、スロットグループの各々での先頭の時間スロットＳ１で、干渉および雑音信号電力推定部１５０で推定された干渉および雑音電力に基づいて、複数の後続の時間スロットＳ２〜Ｓ１０での複数のユーザ装置２００へのリソースブロックＲＢの割り当てを実行する。各スロットグループの範囲内で、上りリンクのセル間干渉が安定化されているため、後続の時間スロットＳ２〜Ｓ１０での干渉および雑音電力は、先頭の時間スロットＳ１での干渉および雑音電力とあまり変わらない。したがって、先頭の時間スロットＳ１での干渉および雑音電力に基づいて、精度よく、後続の時間スロットＳ２〜Ｓ１０での複数のユーザ装置２００へのリソースブロックＲＢの割り当てを実行することが可能である。
【０１６６】
この実施の形態に係るセルラーシステムにおいて、第６の実施の形態と同様のスロットグループ長調整部３００を設け、スロットグループ長調整部３００が上りリンクのデータ送信の誤りまたは上りリンクのデータ送信の遅延を示す指標に基づいて、各スロットグループを構成する時間スロットの数を調整してもよい。この場合、各スロットグループを構成する時間スロットの数を更新すると、スロットグループ長調整部３００は、更新されたその数およびそれを適用する時期を複数の基地局装置１００に通知する。したがって、基地局装置１００は、新たなスロットグループの始期と終期を共有する。また、各基地局装置１００の無線通信部１１０は、更新されたその数を示す信号およびそれを適用する時期を当該基地局装置１００に接続される複数のユーザ装置２００へ送信する。したがって、ユーザ装置２００は、新たなスロットグループの始期と終期を知ることができる。
【０１６７】
他の変形
上記の実施の形態では、無線通信システムがＬＴＥに従って動作するが、本発明の技術的範囲を限定する趣旨ではない。本発明は、必要な設計上の変更を施した上で、他の無線アクセス技術にも適用可能である。例えば、ＣＤＭＡにおいては、各スロットグループにおいて、下りリンクおよび上りリンクのための符号が、先頭の時間スロットＳ１での割り当ての範囲内で制限される。
【０１６８】
上記の実施の形態では、ＰＦメトリックを用いるプロポーショナル・フェアネス法に従って、ユーザスケジューリングが行われる。しかし、ユーザスケジューリングは、例えば、Ｍａｘ  Ｃ／Ｉ（最大搬送波対干渉波比）法など、他の方法によって行ってもよい。Ｍａｘ  Ｃ／Ｉ法では、搬送波対干渉波比（ＣＩＲ）メトリックが大きいユーザ装置にリソースブロックが割り当てられる。ＣＩＲメトリックは、例えばＳＩＮＲそのものであってもよいし、ＥｂＮｏ（energy per bit to noise power spectral density ratio）であってもよい。下りリンクのＣＩＲメトリックは、各ユーザ装置２００が基地局装置１００に通知してもよいし、各ユーザ装置２００からフィードバックされる情報に基づいて基地局装置１００が換算してもよい。
【０１６９】
第１の実施の形態において、下りリンクのデータ送信に使用するリソースブロックＲＢの決定においては、下りリンクのデータ送信に使用可能な複数のリソースブロックＲＢの各々について計算された過去の下りリンクのＰＦメトリックがより大きい所要総数ＮＳ１ＴＲＢのリソースブロックＲＢを、下りリンクリソーススケジューラ１３２は、先頭の時間スロットＳ１での複数のユーザ装置２００への下りリンクのデータ送信に使用するために選択することができる。しかし、下りリンクのデータ送信に使用可能な複数のリソースブロックＲＢの各々について計算された過去の下りリンクのＣＩＲメトリックがより大きい所要総数ＮＳ１ＴＲＢのリソースブロックＲＢを、下りリンクリソーススケジューラ１３２は、先頭の時間スロットＳ１での複数のユーザ装置２００への下りリンクのデータ送信に使用するために選択してもよい。
【０１７０】
第１の実施の形態において、個々のユーザ装置２００へのリソースブロックＲＢの割り当てにおいては、下りリンクのデータ送信に使用可能な複数のリソースブロックＲＢの各々について計算された複数の過去の下りリンクのＰＦメトリックに基づいて、下りリンクリソーススケジューラ１３２は、各ユーザ装置２００についての過去の下りリンクのＰＦメトリックがより大きい所要個別数ＮＳ１ＩＲＢのリソースブロックＲＢを、先頭の時間スロットＳ１での当該ユーザ装置２００への下りリンクのデータ送信に使用するために選択することができる。しかし、各ユーザ装置２００についての過去の下りリンクのＣＩＲメトリックがより大きい所要個別数ＮＳ１ＩＲＢのリソースブロックＲＢを、先頭の時間スロットＳ１での当該ユーザ装置２００への下りリンクのデータ送信に使用するために選択してもよい。
【０１７１】
第１の実施の形態において、複数のリソースブロックＲＢがあらかじめ複数のリソースグループにグループ化されている場合、下りリンクのデータ送信に使用するリソースブロックＲＢの決定においては、過去の下りリンクのＰＦメトリックがより大きく、所要総数ＮＳ１ＴＲＢ以下の数のリソースブロックＲＢを持つことになるリソースグループを、下りリンクリソーススケジューラ１３２は、先頭の時間スロットＳ１での複数のユーザ装置２００への下りリンクのデータ送信に使用するために選択することができる。しかし、過去の下りリンクのＣＩＲメトリックがより大きく、所要総数ＮＳ１ＴＲＢ以下の数のリソースブロックＲＢを持つことになるリソースグループを、下りリンクリソーススケジューラ１３２は、先頭の時間スロットＳ１での複数のユーザ装置２００への下りリンクのデータ送信に使用するために選択してもよい。
【０１７２】
第１の実施の形態において、複数のリソースブロックＲＢがあらかじめ複数のリソースグループにグループ化されている場合、個々のユーザ装置２００へのリソースブロックＲＢの割り当てにおいては、各ユーザ装置２００について、かつ複数のリソースグループの各々について計算された複数の過去の下りリンクのＰＦメトリックに基づいて、過去の下りリンクのＰＦメトリックがより大きく、所要個別数ＮＳ１ＩＲＢ以下の数のリソースブロックＲＢを持つことになるリソースグループを、下りリンクリソーススケジューラ１３２は、先頭の時間スロットＳ１での当該ユーザ装置２００への下りリンクのデータ送信に使用するために選択することができる。しかし、各ユーザ装置２００について、かつ複数のリソースグループの各々について計算された複数の過去の下りリンクのＣＩＲメトリックに基づいて、過去の下りリンクのＣＩＲメトリックがより大きく、所要個別数ＮＳ１ＩＲＢ以下の数のリソースブロックＲＢを持つことになるリソースグループを、下りリンクリソーススケジューラ１３２は、先頭の時間スロットＳ１での当該ユーザ装置２００への下りリンクのデータ送信に使用するために選択してもよい。
【０１７３】
第３の実施の形態において、ユーザ装置２００は、下りリンクのチャネル品質がより良好な（すなわちＳＩＮＲがより良好な）所定数のリソースブロックＲＢについてのみ、下りリンクのＰＦメトリックを計算し、計算されたＰＦメトリックを示す情報を所望基地局に送信することができる。しかし、ユーザ装置２００は、下りリンクのチャネル品質がより良好な所定数のリソースブロックＲＢについてのみ、ＣＩＲメトリックを示す情報を所望基地局に送信してもよい。
【０１７４】
第３の実施の形態において、複数のリソースブロックＲＢがあらかじめ複数のリソースグループにグループ化されている場合、ユーザ装置２００は、下りリンクのチャネル品質がより良好な（すなわちＳＩＮＲがより良好な）所定数のリソースグループについてのみ、下りリンクのＰＦメトリックを計算し、計算されたＰＦメトリックを示す情報を所望基地局に送信することができる。しかし、ユーザ装置２００は、下りリンクのチャネル品質がより良好な所定数のリソースグループについてのみ、ＣＩＲメトリックを示す情報を所望基地局に送信してもよい。
【０１７５】
基地局装置１００およびユーザ装置２００において、ＣＰＵが実行する各機能は、ＣＰＵの代わりに、ハードウェアで実行してもよいし、例えばFPGA（Field Programmable Gate Array），DSP（Digital Signal Processor）等のプログラマブルロジックデバイスで実行してもよい。
【０１７６】
前記の実施の形態および変形は、矛盾しない限り、組み合わせてもよい。
【符号の説明】
【０１７７】
１００  基地局装置、１１０  無線通信部（送信部、受信部）、１１２  送受信アンテナ、１２０  基地局間通信部、１２２  記憶部、１２４  符号化部、１２６  変調部、１２８  バッファ、１３０  制御部、１３２  下りリンクリソーススケジューラ、１３４  ＭＣＳ（変調・符号化方式）決定部、１３６  ＰＦ（プロポーショナル・フェアネス）メトリック計算部、１３８  所要総数決定部、１４０  個別トラフィック量推定部、１４２  所要個別数決定部（仮想所要個別数計算部）、１５０  干渉および雑音電力推定部、１５２  上りリンクリソーススケジューラ、２００  ユーザ装置、２１０  無線通信部（送信部、受信部）、２１２  送受信アンテナ、２２０  制御部、２２２  データ信号処理部、２２４  参照信号ベクトル測定部、２２６  チャネル推定値計算部、２２８  所望データ信号電力推定部（所望信号電力推定部）、２３０  全受信電力推定部、２３２  干渉および雑音電力推定部、２３４  信号対干渉雑音比（ＳＩＮＲ）計算部（下りリンクチャネル品質推定部）、２３６  チャネル状態情報判定部（下りリンクチャネル品質推定部）、２３８  送信信号生成部、２４０  所望信号電力差分計算部、２４２  干渉および雑音電力差分計算部、２４６  ＰＦ（プロポーショナル・フェアネス）メトリック計算部、３００  スロットグループ長調整部。
【図１】
2015008390.tif 000003
【図２】
2015008390.tif 000004
【図３】
2015008390.tif 000005
【図４】
2015008390.tif 000006
【図５】
2015008390.tif 000007
【図６】
2015008390.tif 000008
【図７】
2015008390.tif 000009
【図８】
2015008390.tif 000010
【図９】
2015008390.tif 000011
【図１０】
2015008390.tif 000012
【図１１】
2015008390.tif 000013
【図１２】
2015008390.tif 000014